(57)【要約】【課題】第１ドアと第２ドアとが同軸上で回転可能に配置されるときに、第２ドアの回転軸線方向の移動の規制を第１ドアとの接触によらないで壁と第２ドアとで構成された規制機構によって行うようにした車両用空調装置のドア保持構造を提供する。【解決手段】第１の被支持部２１ａ、２１ｂを備えるミックスドア２０と、第２の被支持部３１ａ、３１ｂを備えるモードドア３０とが、空調ケース２のケース部材２ａとケース部材２ｂとの間に配置され、第１の被支持部２１ａ、２１ｂと第２の被支持部３１ａ、３１ｂとを同じ回転軸線上で回転可能とした空調装置１において、ミックスドア２０の移動範囲を規制機構５０ａ、５０ｂで規制し、モードドア３０の移動範囲をモードドア３０とケース部材２ａとにより構成された規制機構６０ａと、モードドア３０とケース部材２ｂとにより構成された規制機構６０ｂとで規制する。【選択図】図２
2014203772.tif 000002
【特許請求の範囲】
【請求項１】
対をなす第１の被支持部を備える第１ドアと、対をなす第２の被支持部を備える第２ドアとを有し、対向する第１の壁と第２の壁との間に前記第１ドアと前記第２ドアとが配置される車両用空調装置のドア保持構造であって、
前記第１の被支持部の一方は、前記第１の壁に回転可能に支持され、
前記第２の被支持部の一方は、前記第１の被支持部に回転可能に支持され、
前記第１の被支持部の他方と前記第２の被支持部の他方とは、前記第２の壁にそれぞれ回転可能に支持され、又は前記第２の壁に支持された被支持部に回転可能に支持され、
前記第１の被支持部と前記第２の被支持部とは、同じ回転軸線上で回転可能であり、
前記回転軸線に沿う方向への前記第１ドアの移動は、前記第１ドアが、前記第１の壁と当接すること及び前記第２の壁と当接することにより規制されるドア保持構造において、
前記第２ドアと前記第１の壁とで第１の規制機構を構成し、
前記第２ドアと前記第２の壁とで第２の規制機構を構成し、
前記回転軸線に沿う方向への前記第２ドアの移動は、前記第１の規制機構と前記第２の規制機構とにより規制される
ことを特徴とする車両用空調装置のドア保持構造。
【請求項２】
前記回転軸線に沿う方向への第２ドアの移動は、
前記第２ドアから延出して前記第１の壁と当接することが可能な一方側ドア延出部と、前記第１の壁とで構成する第１の規制機構と、
前記第２ドアから延出して前記第２の壁と当接することが可能な他方側ドア延出部と、前記第２の壁とで構成する第２の規制機構との、少なくともいずれかにより規制される
ことを特徴とする請求項１に記載の車両用空調装置のドア保持構造。
【請求項３】
前記第２の被支持部の他方は、前記第２の壁に支持され、
前記回転軸線に沿う方向への第２ドアの移動は、少なくとも、前記他方側ドア延出部と、前記第２の壁とで構成する前記第２の規制機構により規制され、
前記他方側ドア延出部は、前記第２の被支持部の他方から前記回転軸線に対して略垂直方向に延びた
ことを特徴とする請求項２に記載の車両用空調装置のドア保持構造。
【請求項４】
前記回転軸線に沿う方向への第２ドアの移動は、
前記第２ドアと、前記第１の壁から延出して前記第２ドアと当接することが可能な一方側壁延出部とで構成する第１の規制機構と、
前記第２ドアと、前記第２の壁から延出して前記第２ドアと当接することが可能な他方側壁延出部とで構成する第２の規制機構と、の少なくともいずれかにより規制される
ことを特徴とする請求項１に記載の車両用空調装置のドア保持構造。
【請求項５】
前記回転軸線に沿う方向への第２ドアの移動は、
前記第２ドアと、前記第１の壁のうち、前記第１ドアと対向する面よりも前記第２の壁に近接する一方側段差面とで構成する第１の規制機構と、
前記第２ドアと、前記第２の壁のうち、前記第１ドアと対向する面よりも前記第１の壁に近接する他方側段差面とで構成する第２の規制機構と、の少なくともいずれかにより規制される
ことを特徴とする請求項１に記載の車両用空調装置のドア保持構造。
【請求項６】
前記対をなす第１の被支持部の一方は、前記第１の壁に形成された第１の軸受孔に回転可能に支持され、
前記対をなす第２の被支持部の他方は、前記第２の壁に形成された第２の軸受孔に回転可能に支持され、
前記第１の被支持部の他方は、前記第２の壁に形成されたドア支持部に支持され、前記第２の軸受孔の軸線を中心として回転可能であり、前記第２の被支持部の他方が挿通可能なスリット部を備え、
前記第２の被支持部の一方は、前記第１の被支持部の一方の内径側又は外径側に回転可能に支持されている
ことを特徴とする請求項１から請求項５のいずれかに記載の車両用空調装置のドア保持構造。
【請求項７】
前記第１の被支持部の一方は、前記第１の壁に形成された第１の軸受孔に回転可能に支持され、
前記第２の被支持部の他方は、前記第２の壁に形成された第２の軸受孔に回転可能に支持され、
前記第２の被支持部の一方は、前記第1の被支持部の一方に前記第１の軸受孔からの垂線に沿って支持され、前記第１の軸受孔の軸線を中心として回転可能であり、
前記第１の被支持部の他方は、前記第２の被支持部の他方に前記第２の軸受孔からの垂線に沿って支持され、前記第２の軸受孔の軸線を中心として回転可能である
ことを特徴とする請求項１から請求項５のいずれかに記載の車両用空調装置のドア保持構造。
【請求項８】
前記第１の被支持部の一方は、前記第１の壁に形成された第１の軸受孔に回転可能に支持され、
前記第１の被支持部の他方は、前記第２の壁に形成された第２の軸受孔に回転可能に支持され、
前記第２の被支持部の一方は、前記第１の被支持部の一方の内径側又は外径側に支持されて、前記第１の軸受孔の軸線を中心として回転可能であり、
前記第２の被支持部の他方は、前記第１の被支持部の他方の内径側又は外径側に支持されて、前記第２の軸受孔の軸線を中心として回転可能である
ことを特徴とする請求項１から請求項５のいずれかに記載の車両用空調装置のドア保持構造。
【請求項９】
前記第１ドアと前記第２ドアとは、それぞれの被支持部に対して略垂直に延設される一対の側壁部と、この一対の側壁部の間を繋ぐ閉塞部とを有して構成されるロータリ式ドアである
ことを特徴とする請求項１から８のいずれかに記載の車両用空調装置のドア保持構造。
【請求項１０】
前記第１ドアと前記第２ドアとは、それぞれの被支持部の軸線に対して略平行に延設された板状部を備える板ドアである
ことを特徴とする請求項１から８のいずれかに記載の車両用空調装置のドア保持構造。
【請求項１１】
前記第１の壁と前記第２の壁とは、空気流路が内部に形成された空調ケースの一部であり、
前記第１ドアと前記第２ドアとは、前記空気流路に配されている
ことを特徴とする請求項１から１０のいずれかに記載の車両用空調装置。
【発明の詳細な説明】
【技術分野】
【０００１】
この発明は、２つのドアを同軸上で支持するために採用される車両用空調装置のドア保持構造とこのドア保持構造を備えた車両用空調装置とに関する。特に２つのドアの一方のドアの回転の影響を他方のドアが受けるのを防止し、２つのドアのいずれかのドアと壁との隙間を小さく設定することができるドアの移動の規制機構の構造に関する。
【背景技術】
【０００２】
車両用空調装置において、２つのドアを同軸上で回転可能に支持する構造として、既に特許文献１に示されるようなドア保持構造が公知となっている。【０００３】
この車両用空調装置のドア保持構造を概説すると、２つのドアたる、第１ドアと第２ドアとのそれぞれを、閉塞部（ドア板部）と、閉塞部（ドア板部）の両端側に突出した一対の回転軸部とで構成している。更に、第１ドアの回転軸部にスリット部を設け、第２ドアの回転軸部に径方向の幅を部分的に短くした縮幅部を設けたものとなっている。そして、第２ドアの回転軸部の縮幅部を第１ドアの回転軸部の径方向外側からスリット部に挿入させて、第１ドアと第２ドアとを仮組みした後に、空調ケースの軸受部に第１の回転軸部を挿入することにより、第１ドアと第２ドアとは、車両用空調装置のケースの壁の間に回転可能に配置される。【０００４】
更に、第１ドアと第２ドアとは、所謂ロータリ式のドアである。そして、第１ドアと第２ドアとのそれぞれ閉塞部（ドア板部）の両端側において、回転軸部の径方向に延出するとともに閉塞部（ドア板部）の両端部と連結する側壁部（側板部）を有している。更に、第１ドアの側壁部（側板部）の内側面と第２ドアの側壁部（側板部）の外側面とは対峙している。
【先行技術文献】
【特許文献】
【０００５】
【特許文献１】特開２０１１−２０７３０７号公報
【発明の概要】
【発明が解決しようとする課題】
【０００６】
ここで、特許文献１の第１ドアの構成は、第１ドアが回転軸部の軸線方向に移動可能となるよう、ケースの壁の間と第１ドアの一対の側壁部（側板部）との間に第１の移動範囲が設けられて、第１ドアがケースに挟持されて回転操作を阻害される不具合の防止が図られている。同様に、第２ドアの構成は、第２ドアが回転軸部の軸線方向に移動可能となるよう、第１ドアの一対の側壁部（側板部）と第２ドアの一対の側壁部（側板部）との間に第２の移動範囲が設けられて、第２ドアが第１ドアに挟持されて回転操作を阻害される不具合の防止が図られている。【０００７】
すなわち第２ドアは、ケースの壁に対して、第１ドアのために設けられた第１の移動範囲に第２ドアのために設けられた第２の移動範囲を加えた移動範囲を加えたかたちで設置されるものである。ケースの壁の間と第２ドアの一対の側壁部（側板部）との間には、大きな隙間が生じている。そして、この大きな隙間は、第２ドアで空調制御を行う場合、漏れた空気の通り道となって空気の漏れ量が増えるので、空調制御の効率が悪化する問題が有った。【０００８】
また、特許文献１の第１ドアおよび第２ドアの構成では、回転軸部の軸線方向において、第１ドアと第２ドアとの接触を防止できておらず、互いの回転動作の影響を受けずに回転位置が制御されるべき第１ドアおよび第２ドアが接触し、回転トルクが増加して、回転制御が悪化するおそれが有った。【０００９】
そこで、本発明は、第１ドアと第２ドアとが同軸上で回転可能に配置される構成において、ケースの壁の間と第２ドアの側壁部との間に大きな隙間が無く、かつ第２ドアの回転軸線方向の移動の規制を第１ドアとの接触によらない車両用空調装置のドア保持構造及び車両用空調装置を提供することを目的とする。
【課題を解決するための手段】
【００１０】
この発明に係る車両用空調装置のドア保持構造は、対をなす第１の被支持部を備える第１ドアと、対をなす第２の被支持部を備える第２ドアとを有し、対向する第１の壁と第２の壁との間に前記第１ドアと前記第２ドアとが配置される車両用空調装置のドア保持構造であって、前記第１の被支持部の一方は、前記第１の壁に回転可能に支持され、前記第２の被支持部の一方は、前記第１の被支持部に回転可能に支持され、前記第１の被支持部の他方と前記第２の被支持部の他方とは、前記第２の壁にそれぞれ回転可能に支持され、又は前記第２の壁に支持された被支持部に回転可能に支持され、前記第１の被支持部と前記第２の被支持部とは、同じ回転軸線上で回転可能であり、前記回転軸線に沿う方向への前記第１ドアの移動は、前記第１ドアが、前記第１の壁と当接すること及び前記第２の壁と当接することにより規制されるドア保持構造において、前記第２ドアと前記第１の壁とで第１の規制機構を構成し、前記第２ドアと前記第２の壁とで第２の規制機構を構成し、  前記回転軸線に沿う方向への前記第２ドアの移動は、前記第１の規制機構と前記第２の規制機構とにより規制されることを特徴としている（請求項１）。ここで、第１ドアは、例えばミックスドアであり、第２ドアは、例えばモードドアである。【００１１】
これにより、回転軸線に沿う方向への第２ドアの移動は、第１及び第２の規制機構を介して、第１の壁及び第２の壁により規制されるので、回転軸線に沿う方向に移動可能な第１ドアを用いて規制する必要がなく、第２ドアの移動範囲を小さくすることができる。このため、第１の壁と第２ドアとの隙間及び第２の壁と第２ドアとの隙間を小さく設定することができるので、これらの隙間を通過する空気の漏れ量を抑制することが可能となる。また、第１ドア及び第２ドアの回転軸線に沿う方向の移動は、それぞれ第１の壁及び第２の壁で規制されるので、第１ドアと第２ドアとが回転軸線に沿う方向で接触することがない。このため、第１ドア及び第２ドアの双方について、相手方のドアの回転の影響を受けないようにすることができ、ドア位置の制御の独立性を向上させることが可能となる。【００１２】
この発明の第１例として、前記回転軸線に沿う方向への第２ドアの移動は、前記第２ドアから延出して前記第１の壁と当接することが可能な一方側ドア延出部と、前記第１の壁とで構成する第１の規制機構と、前記第２ドアから延出して前記第２の壁と当接することが可能な他方側ドア延出部と、前記第２の壁とで構成する第２の規制機構との、少なくともいずれかにより規制されることを特徴としている（請求項２）。【００１３】
これにより、ドア延出部が用いられた規制機構では、規制機構自体が第２ドアの回転に応じて回転移動するので、回転軸線に沿う方向への第２ドアの移動範囲の規制を安定して行うことができる。【００１４】
前記第２の被支持部の他方は、前記第２の壁に支持され、前記回転軸線に沿う方向への第２ドアの移動は、少なくとも、前記他方側ドア延出部と、前記第２の壁とで構成する前記第２の規制機構により規制され、前記他方側ドア延出部は、前記第２の被支持部の他方から前記回転軸線に対して略垂直方向に延びたことを特徴としている（請求項３）。【００１５】
第２のドアの延出部を、第２の壁に支持された第２の被支持部の他方から延びるように設けたので、第２のドアの延出部を、第２ドアの回転中心の近くに配置することができる。このため、第２のドアの回転軸線に沿う方向の移動が第２の規制機構によって規制されたときでも、第２のドアの回転方向に対する回転トルクの影響を抑制することができる。【００１６】
この発明の第２例として、前記回転軸線に沿う方向への第２ドアの移動は、前記第２ドアと、前記第１の壁から延出して前記第２ドアと当接することが可能な一方側壁延出部とで構成する第１の規制機構と、前記第２ドアと、前記第２の壁から延出して前記第２ドアと当接することが可能な他方側壁延出部とで構成する第２の規制機構と、の少なくともいずれかにより規制されることを特徴としている（請求項４）。【００１７】
壁延出部を設けた規制機構では、第２ドアに延出部を設ける必要が無いので、第２ドアの生産性を向上させることができる。【００１８】
この発明の第３例として、前記回転軸線に沿う方向への第２ドアの移動は、前記第２ドアと、前記第１の壁のうち、前記第１ドアと対向する面よりも前記第２の壁に近接する一方側段差面とで構成する第１の規制機構と、前記第２ドアと、前記第２の壁のうち、前記第１ドアと対向する面よりも前記第１の壁に近接する他方側段差面とで構成する第２の規制機構と、の少なくともいずれかにより規制されることを特徴としている（請求項５）。【００１９】
段差面が用いられた規制機構では、第２ドアに延出部を設ける必要が無いので、第２ドアの生産性を向上させることができる。また、壁と第２ドアとが近接し隙間が狭くなるので、これらの隙間を通過する空気の漏れ量を抑制することが可能となり、空調制御の精度を向上させることができる。【００２０】
この発明に係る車両用空調装置のドア保持構造の実施例１として、前記対をなす第１の被支持部の一方は、前記第１の壁に形成された第１の軸受孔に回転可能に支持され、前記対をなす第２の被支持部の他方は、前記第２の壁に形成された第２の軸受孔に回転可能に支持され、前記第１の被支持部の他方は、前記第２の壁に形成されたドア支持部に支持され、前記第２の軸受孔の軸線を中心として回転可能であり、前記第２の被支持部の他方が挿通可能なスリット部を備え、前記第２の被支持部の一方は、前記第１の被支持部の一方の内径側又は外径側に回転可能に支持されていることを特徴としている（請求項６）。【００２１】
対をなす第１の被支持部を備えた第１ドアと、対をなす第２の被支持部を備えた第２ドアとを同じ回転軸線上で支持するにあたり、第２の被支持部の他方を、第２の壁に形成された第２の軸受孔に回転可能に支持し、第１の被支持部の他方を、第２の壁に形成されたドア支持部に支持するようにしている。このため、それぞれのドアの被支持部は、第２の壁に対して異なる箇所で支持されており、一方のドアに寸法バラツキや僅かな撓みが生じた場合でも、それぞれのドアの回転摺動性に影響を与えることがなくなり、円滑なドアの回転を確保して品質を安定させることが可能となる。【００２２】
この発明に係る車両用空調装置のドア保持構造の実施例２として、前記第１の被支持部の一方は、前記第１の壁に形成された第１の軸受孔に回転可能に支持され、前記第２の被支持部の他方は、前記第２の壁に形成された第２の軸受孔に回転可能に支持され、前記第２の被支持部の一方は、前記第1の被支持部の一方に前記第１の軸受孔からの垂線に沿って支持され、前記第１の軸受孔の軸線を中心として回転可能であり、前記第１の被支持部の他方は、前記第２の被支持部の他方に前記第２の軸受孔からの垂線に沿って支持され、前記第２の軸受孔の軸線を中心として回転可能であることを特徴としている（請求項７）。【００２３】
対をなす第１の被支持部を備えた第１ドアと、対をなす第２の被支持部を備えた第２ドアとを同軸上で支持するにあたり、第２の被支持部の一方を第１の被支持部の一方に第１の軸受孔からの垂線に沿って回転可能に支持し、第１の被支持部の他方を、第２の被支持部の他方に第２の軸受孔からの垂線に沿って回転可能に支持するようにしている。このため、第１ドアと第２ドアとの仮組み時に、被支持部の径方向の外側から他の被支持部を挿入する必要がなく、それぞれの被支持部に径方向から力が加わることがなくなる。よって、被支持部が径方向に撓むことを防止することが可能となり、ドアの円滑な回転が阻害されることがなくなる。【００２４】
この発明に係る車両用空調装置のドア保持構造の実施例３として、前記第１の被支持部の一方は、前記第１の壁に形成された第１の軸受孔に回転可能に支持され、前記第１の被支持部の他方は、前記第２の壁に形成された第２の軸受孔に回転可能に支持され、前記第２の被支持部の一方は、前記第１の被支持部の一方の内径側又は外径側に支持されて、前記第１の軸受孔の軸線を中心として回転可能であり、前記第２の被支持部の他方は、前記第１の被支持部の他方の内径側又は外径側に支持されて、前記第２の軸受孔の軸線を中心として回転可能であることを特徴としている（請求項８）。ここで、第２の被支持部の一方は、第１の壁に形成された第１の軸受孔を貫通したものとしても、貫通しないものとしても良く、第２の被支持部の他方は、第２の壁に形成された第２の軸受孔を貫通したものとしても、貫通しないものとしても良い。【００２５】
このように、ドア保持構造について、第２の被支持部の一方は、第１の被支持部の一方の内径側又は外径側に支持されて、第１の軸受孔の軸線を中心として回転可能であり、第２の被支持部の他方は、第１の被支持部の他方の内径側又は外径側に支持されて、第２の軸受孔の軸線を中心として回転可能である構成を採っている場合でも、第２のドアの移動範囲は、第１及び第２の規制機構を介して、第１の壁及び第２の壁に当接することより規制することができる。また、第１の規制機構及び第２の規制機構によって、第１のドアと第２ドアとが被支持部の回転軸線に沿う方向で接触することを防止できる。【００２６】
ここで、この発明に係る車両用空調装置のドア保持構造では、前記第１ドアと前記第２ドアとは、それぞれの被支持部に対して略垂直に延設される一対の側壁部と、この一対の側壁部の間を繋ぐ閉塞部とを有して構成されるロータリ式ドアであっても良い（請求項９）。また、前記第１ドアと前記第２ドアとは、それぞれの被支持部の軸線に対して略平行に延設された板状部を備える板ドアであっても良い（請求項１０）。【００２７】
そして、前記ドア保持構造が用いられる車両用空調装置では、前記第１の壁と前記第２の壁とは、空気流路が内部に形成された空調ケースの一部であり、前記第１ドアと前記第２ドアとは、前記空気流路に配されていることを特徴としている（請求項１１）。【００２８】
第１の壁、第２の壁及び第１ドア、第２ドアについてこの様な構成とすることにより、車両用空調装置に前記請求項１から請求項８に記載のドア保持構造を採用することが可能となる。
【発明の効果】
【００２９】
以上のように、請求項１から請求項１１に記載の発明によれば、回転軸線に沿う方向への第２ドアの移動を、第１及び第２の規制機構を介して、第１の壁及び第２の壁により規制することができる。このため、回転軸線に沿う方向に移動可能な第１ドアを用いて規制する必要がなく、第２ドアの移動範囲を小さくすることができる。よって、第２ドアと第１の壁との隙間及び第２ドアと第２の壁との隙間を小さく設定することができるので、これらの隙間を通過する空気の漏れ量を抑制することが可能となる。【００３０】
また、請求項１から請求項１１に記載の発明によれば、第１ドア及び第２ドアの回転軸線に沿う方向の移動を、それぞれ第１の壁及び第２の壁で規制することができる。このため、第１ドアと第２ドアとが回転軸線に沿う方向で接触することがなく、相手方のドアの回転の影響を受けないようにすることができ、ドア位置の制御の独立性を向上させることが可能となる。【００３１】
特に請求項２に記載の発明によれば、規制機構はドア延出部が用いられたものとなるため、規制機構自体が第２ドアの回転に応じて回転移動するので、回転軸線に沿う方向への第２ドアの移動範囲の規制を安定して行うことができる。【００３２】
特に請求項３に記載の発明によれば、第２のドアの延出部を、第２の壁に支持された第２の被支持部の他方から延びるように設けている。このため、第２のドアの延出部を、第２ドアの回転中心の近くに配置することができ、第２のドアの回転軸線に沿う方向の移動が第２の規制機構によって規制されたときでも、第２のドアの回転方向に対する回転トルクの影響を抑制することができる。【００３３】
特に請求項４に記載の発明によれば、規制機構は壁延出部を設けた構成となるため、第２ドアに延出部を設ける必要が無いので、第２ドアの生産性を向上させることができる。【００３４】
特に請求項５に記載の発明によれば、段差面が用いられた規制機構では、第２ドアに延出部を設ける必要が無いので、第２ドアの生産性を向上させることができる。また、壁と第２ドアとが近接し隙間が狭くなるので、これらの隙間を通過する空気の漏れ量を抑制することが可能となり、空調制御の精度を向上させることができる。【００３５】
特に請求項６に記載の発明によれば、対をなす第１の被支持部を備えた第１ドアと、対をなす第２の被支持部を備えた第２ドアとを同じ回転軸線上で支持するにあたり、第２の被支持部の他方を、第２の壁に形成された第２の軸受孔に回転可能に支持し、第１の被支持部の他方を、第２の壁に形成されたドア支持部に支持するようにしている。このため、それぞれのドアの被支持部は、第２の壁に対して異なる箇所で支持されており、一方のドアに寸法バラツキや僅かな撓みが生じた場合でも、それぞれのドアの回転摺動性に影響を与えることがなくなり、円滑なドアの回転を確保して品質を安定させることが可能となる。【００３６】
特に請求項７に記載の発明によれば、対をなす第１の被支持部を備えた第１ドアと、対をなす第２の被支持部を備えた第２ドアとを同軸上で支持するにあたり、第２の被支持部の一方を第１の被支持部の一方に第１の軸受孔からの垂線に沿って回転可能に支持し、第１の被支持部の他方を、第２の被支持部の他方に第２の軸受孔からの垂線に沿って回転可能に支持するようにしている。このため、第１ドアと第２ドアとの仮組み時に、被支持部の径方向の外側から他の被支持部を挿入する必要がなく、それぞれの被支持部に径方向から力が加わることがなくなる。よって、被支持部が径方向に撓むことを防止することが可能となり、ドアの円滑な回転が阻害されることがなくなる。【００３７】
特に請求項８に記載の発明のように、ドア保持構造について、第２の被支持部の一方は、第１の被支持部の一方の内径側又は外径側に支持されて、第１の軸受孔の軸線を中心として回転可能であり、第２の被支持部の他方は、第１の被支持部の他方の内径側又は外径側に支持されて、第２の軸受孔の軸線を中心として回転可能である構成を採っている場合でも、第２のドアの移動範囲は、第１及び第２の規制機構を介して、第１の壁及び第２の壁に当接することより規制することができる。また、第１の規制機構及び第２の規制機構によって、第１のドアと第２ドアとが被支持部の回転軸線に沿う方向で接触することを防止できる。【００３８】
特に請求項１１に記載の発明によれば、第１の壁、第２の壁及び第１ドア、第２ドアについてこの様な構成とすることにより、車両用空調装置に前記請求項１から請求項８に記載のドア保持構造を採用することが可能となる。
【図面の簡単な説明】
【００３９】
【図１】図１は、本発明に係るドア保持構造が用いられる車両用空調装置の全体構成例を示した断面図である。
【図２】図２は、本発明に係るドア保持構造の実施例１のうちの第１例の概略構成を示す断面図であり、第２ドアは、側壁部の一方に一方側ドア延出部が、被支持部の他方に他方側ドア延出部が設けられ、一方側ドア延出部と第１の壁とが当接していることを示す説明図である。
【図３】図３は、本発明に係るドア保持構造の実施例１のうちの第１例の概略構成を示す断面図であり、第２ドアは、側壁部の一方に一方側ドア延出部が、被支持部の他方に他方側ドア延出部が設けられ、他方側ドア延出部と第２の壁とが当接していることを示す説明図である。
【図４】図４は、前記実施例１のうちの第１例を示す説明図であり、図４（ａ）は、第１ドアと第２ドアとを組み付ける前の状態を示す斜視図、図４（ｂ）は、第１ドアと第２ドアとを仮組みした状態を示す斜視図である。
【図５】図５は、本発明に係るドア保持構造の実施例１のうちの第２例の概略構成を示す断面図であり、第２ドアは、側壁部の一方に一方側ドア延出部が、側壁部の他方に他方側ドア延出部が設けられ、一方側ドア延出部と第１の壁とが当接していることを示す説明図である。
【図６】図６は、本発明に係るドア保持構造の実施例１のうちの第２例の概略構成を示す断面図であり、第２ドアは、側壁部の一方に一方側ドア延出部が、側壁部の他方に他方側ドア延出部が設けられ、他方側ドア延出部と第２の壁とが当接していることを示す説明図である。
【図７】図７は、前記実施例１のうちの第２例を示す説明図であり、図７（ａ）は、第１ドアと第２ドアとを組み付ける前の状態を示す斜視図、図７（ｂ）は、第１ドアと第２ドアとを仮組みした状態を示す斜視図である。
【図８】図８は、本発明に係るドア保持構造の実施例１のうちの第３例の概略構成を示す断面図であり、第１の壁は第２ドアに対向する面に一方側壁延出部が、第２の壁は第２ドアに対向する面に他方側壁延出部が設けられ、一方側壁延出部と第２ドアとが当接していることを示す説明図である。
【図９】図９は、本発明に係るドア保持構造の実施例１のうちの第３例の概略構成を示す断面図であり、第１の壁は第２ドアに対向する面に一方側壁延出部が、第２の壁は第２ドアに対向する面に他方側壁延出部が設けられ、他方側壁延出部と第２ドアとが当接していることを示す説明図である。
【図１０】図１０（ａ）は、前記実施例１のうちの第３例における、第１ドアと第２ドアとのそれぞれの被支持部の一方を示す斜視図であり、図１０（ｂ）は、前記実施例１のうちの第３例における、第１ドアと第２ドアとのそれぞれの被支持部の他方を示す斜視図である。
【図１１】図１１は、本発明に係るドア保持構造の実施例１のうちの第４例の概略構成を示す断面図であり、第２ドアの側壁部の一方と対向する第１の壁に一方側段差面が、第２ドアの側壁部の他方と対向する第２の壁に他方側段差面が設けられ、一方側段差面と第２ドアとが当接していることを示す説明図である。
【図１２】図１２は、本発明に係るドア保持構造の実施例１のうちの第４例の概略構成を示す断面図であり、第２ドアの側壁部の一方と対向する第１の壁に一方側段差面が、第２ドアの側壁部の他方と対向する第２の壁に他方側段差面が設けられ、他方側段差面と第２ドアとが当接していることを示す説明図である。
【図１３】図１３は、本発明に係るドア保持構造の実施例２のうちの第１例の概略構成を示す断面図であり、第２ドアは、側壁部の一方に一方側ドア延出部が、被支持部の他方に他方側ドア延出部が設けられ、一方側ドア延出部と第１の壁とが当接していることを示す説明図である。
【図１４】図１４は、本発明に係るドア保持構造の実施例２のうちの第１例の概略構成を示す断面図であり、第２ドアは、側壁部の一方に一方側ドア延出部が、被支持部の他方に他方側ドア延出部が設けられ、他方側ドア延出部と第２の壁とが当接していることを示す説明図である。
【図１５】図１５は、前記実施例２のうちの第１例を示す説明図であり、第１ドアと第２ドアとを組み付ける前の状態を示す斜視図である。
【図１６】図１６は、本発明に係るドア保持構造の実施例２のうちの第２例の概略構成を示す断面図であり、第２ドアは、側壁部の一方に一方側ドア延出部が、側壁部の他方に他方側ドア延出部が設けられ、一方側ドア延出部と第１の壁とが当接していることを示す説明図である。
【図１７】図１７は、本発明に係るドア保持構造の実施例２のうちの第２例の概略構成を示す断面図であり、第２ドアは、側壁部の一方に一方側ドア延出部が、側壁部の他方に他方側ドア延出部が設けられ、他方側ドア延出部と第２の壁とが当接していることを示す説明図である。
【図１８】図１８は、前記実施例２のうちの第２例を示す説明図であり、第１ドアと第２ドアとを組み付ける前の状態を示す斜視図である。
【図１９】図１９は、本発明に係るドア保持構造の実施例２のうちの第３例の概略構成を示す断面図であり、第１の壁は第２ドアに対向する面に一方側壁延出部が、第２の壁は第２ドアに対向する面に他方側壁延出部が設けられ、一方側壁延出部と第２ドアとが当接していることを示す説明図である。
【図２０】図２０は、発明に係るドア保持構造の実施例２のうちの第３例の概略構成を示す断面図であり、第１の壁は第２ドアに対向する面に一方側壁延出部が、第２の壁は第２ドアに対向する面に他方側壁延出部がそれぞれ設けられ、他方側壁延出部と第２ドアとが当接していることを示す説明図である。
【図２１】図２１（ａ）は、前記実施例２のうちの第３例における、第１ドアと第２ドアとのそれぞれの被支持部の一方を示す斜視図であり、図２１（ｂ）は、前記実施例２のうちの第３例における、第１ドアと第２ドアとのそれぞれの被支持部の他方を示す斜視図である。
【図２２】図２２は、本発明に係るドア保持構造の実施例２のうちの第４例の概略構成を示す断面図であり、第２ドアの側壁部の一方と対向する第１の壁に一方側段差面が、第２ドアの側壁部の他方と対向する第２の壁に他方側段差面が設けられ、一方側段差面と第２ドアとが当接していることを示す説明図である。
【図２３】図２３は、本発明に係るドア保持構造の実施例２のうちの第４例の概略構成を示す断面図であり、第２ドアの側壁部の一方と対向する第１の壁に一方側段差面が、第２ドアの側壁部の他方と対向する第２の壁に他方側段差面が設けられ、他方側段差面と第２ドアとが当接していることを示す説明図である。
【図２４】図２４は、本発明に係るドア保持構造の実施例３のうちの第１例の概略構成を示す断面図であり、第２ドアは、被支持部の一方に一方側ドア延出部が、被支持部の他方に他方側ドア延出部が設けられ、一方側ドア延出部と第１の壁とが当接していることを示す説明図である。
【図２５】図２５は、本発明に係るドア保持構造の実施例３のうちの第１例の概略構成を示す断面図であり、第２ドアは、被支持部の一方に一方側ドア延出部が、被支持部の他方に他方側ドア延出部が設けられ、他方側ドア延出部と第２の壁とが当接していることを示す説明図である。
【図２６】図２６は、前記実施例３のうちの第１例を示す説明図であり、図２６（ａ）は、第１ドアと第２ドアとを組み付ける前の状態を示す斜視図、図２６（ｂ）は、第１ドアと第２ドアとを仮組みした状態を示す斜視図である。
【図２７】図２７は、本発明に係るドア保持構造の実施例３のうちの第２例の概略構成を示す断面図であり、第２ドアは、側壁部の一方に一方側延出部が、側壁部の他方に他方側延出部が設けられ、一方側延出部と第１の壁とが当接していることを示す説明図である。
【図２８】図２８は、本発明に係るドア保持構造の実施例３のうちの第２例の概略構成を示す断面図であり、第２ドアは、側壁部の一方に一方側ドア延出部が、側壁部の他方に他方側ドア延出部が設けられ、他方側ドア延出部と第２の壁とが当接していることを示す説明図である。
【図２９】図２９は、前記実施例３のうちの第２例を示す説明図であり、図２９（ａ）は、第１ドアと第２ドアとを組み付ける前の状態を示す斜視図、図２９（ｂ）は、第１ドアと第２ドアとを仮組みした状態を示す斜視図である。
【図３０】図３０は、本発明に係るドア保持構造の実施例３のうちの第３例の概略構成を示す断面図であり、第１の壁は第２ドアに対向する面に一方側壁延出部が、第２の壁は第２ドアに対向する面に他方側壁延出部が設けられ、一方側壁延出部と第２ドアとが当接していることを示す説明図である。
【図３１】図３１は、本発明に係るドア保持構造の実施例３のうちの第３例の概略構成を示す断面図であり、第１の壁は第２ドアに対向する面に一方側壁延出部が、第２の壁は第２ドアに対向する面に他方側壁延出部が設けられ、他方側壁延出部と第２ドアとが当接していることを示す説明図である。
【図３２】図３２は、本発明に係るドア保持構造の実施例３のうちの第４例の概略構成を示す断面図であり、第２ドアの側壁部の一方と対向する第１の壁に一方側段差面が、第２ドアの側壁部の他方と対向する第２の壁に他方側段差面が設けられ、一方側段差面と第２ドアとが当接していることを示す説明図である。
【図３３】図３３は、本発明に係るドア保持構造の実施例３のうちの第４例の概略構成を示す断面図であり、第２ドアの側壁部の一方と対向する第１の壁に一方側段差面が、第２ドアの側壁部の他方と対向する第２の壁に他方側段差面が設けられ、他方側段差面と第２ドアとが当接していることを示す説明図である。
【発明を実施するための形態】
【００４０】
以下、この発明の実施形態について添付図面を参照しながら説明する。
【００４１】
図１において、この発明に係るドア保持構造が用いられる車両用空調装置の空調ユニット１の一例が示されている。この空調ユニット１は、車両のセンターコンソール部に搭載されるセンター置きタイプであり、エンジンルームと車室とを仕切る仕切板よりも車室側に配置されている。そして、この空調ユニット１は、外気（車室外空気）および／または内気（車室内空気）が、送風機ユニット（図示せず。）を介して空調ケース２の空気導入空間３に導入されるものとなっている。
【００４２】
空調ケース２は、車室に向かって流れる空気の通路を形成するもので、合成樹脂材によって形成され、ケース内の空調機器の組み付け上の理由から、また成形上の型抜きの都合から、複数のケース部材で構成されている。空調ケース２は、この例では車両左右方向に分割されたケース部材によって構成されている。
【００４３】
また、空調ケース２は、空気導入空間３へ空気を導入する導入口４と、空気を空調ケース２の上方へ導く第１吹出通路５と、空気を空調ケース２の下方へ導く第２吹出通路６とを備えている。
【００４４】
そして、空調ケース２内において、空気導入空間に冷却用熱交換器をなすエバポレータ７が配置され、このエバポレータ７の下流側に加熱用熱交換器をなすヒータコア８が配置されている。
【００４５】
エバポレータ７は、冷凍サイクルの一部を構成するもので、導入口４から導入された全ての空気が通過するように空気通路内に配置されており、必要に応じて通過する空気を冷却・除湿することができる。
【００４６】
エバポレータ７の下流には、空気通路の略中央に空調ケース２と一体に形成された仕切壁９が配置されている。
【００４７】
ヒータコア８は、例えばエンジンの冷却水を熱源として空気を加熱するもので、仕切壁９の下方に配置されている。この実施例では、ヒータコア８は、仕切壁９の下端から空調ケース２の車室側に設けられたガイド壁１６にかけて略水平に設置されている。
【００４８】
これにより、エバポレータ７の下流側のうち当該エバポレータ７と仕切壁９との間には、エバポレータ７のみを通過した空気（ヒータコア８を通過せずにバイパスした冷風）を車室側に向けて斜め上方へ導くバイパス通路１０（この実施例においては、冷風通路）が形成されている。また、エバポレータ７の下流側のうち仕切壁９とガイド壁１６との間には、エバポレータ７及びヒータコア８を通過した空気（ヒータコア８を通過した温風）を車室側に向けて上方へ導く温風通路１１が形成されている。
【００４９】
仕切壁９の上方には、バイパス通路１０から供給された冷風と温風通路１１から供給された温風とを混合するミックス空間１２が形成され、このミックス空間１２に第１吹出通路５と第２吹出通路６とが接続されている。
【００５０】
第１吹出通路５は、送風機ユニットにより導入された空気を空調ケース２の上方へ導くもので、ミックス空間１２と、導入された空気を車両前方のガラス内面に向けて吹き出すデフロスト吹出開口１３と、導入された空気を乗員の上半身に向けて吹き出すベント吹出開口１４とに連通している。
【００５１】
第２吹出通路６は、送風機ユニットにより導入された空気を空調ケース２の下方へ導くもので、ミックス空間１２と、導入された空気を乗員の足元に向けて吹き出すフット吹出開口１５とに連通している。
【００５２】
この実施例においては、バイパス通路１０、温風通路１１、第１吹出通路５、第２吹出通路６は、ミックス空間１２を中心としてその周りにバイパス通路１０、第１吹出通路５、第２吹出通路６、温風通路１１の順で配設され、ミックス空間１２と接続されている。
【００５３】
そして、バイパス通路１０と第１吹出通路５とがミックス空間１２に接続する部分は、空調ケース２の一部を円周状に形成した円周壁１７により隔てられている。第１吹出通路５と第２吹出通路６とがミックス空間１２に接続する部分は、空調ケース２の一部を円周状に形成した円周壁１８により隔てられている。第２吹出通路６と温風通路１１とがミックス空間１２に接続する部分は、空調ケース２の一部を円周状に形成した円周壁１９により隔てられている。そして、温風通路１１とバイパス通路１０とがミックス空間１２に接続する部分は、空調ケース２と一体的に形成された前記仕切壁９により隔てられている。
【００５４】
ミックス空間１２には、バイパス通路１０から供給される冷風と温風通路１１から供給される温風との導入比率を調整するミックスドア２０と、ミックス空間１２から第１吹出通路５に向かう空気と第２吹出通路６に向かう空気との配風比率を調節するモードドア３０とが設けられている。
【００５５】
ミックスドア２０は、合成樹脂材により形成されたものである。そして、ミックスドア２０は、図１、図４、図７、図１５、図１８、図２６又は図２９に示されるように、回転軸線上に設けられた一対の第１の被支持部２１ａ、２１ｂと、この第１の被支持部２１ａ、２１ｂから当該第１の被支持部２１ａ、２１ｂの径方向に沿って延設されて相互に平行な一対の略扇形状をなす側壁部２２ａ、２２ｂと、この一対の側壁部２２ａ、側壁部２２ｂの外周縁間を繋ぐように形成された閉塞部２３と、第１の被支持部２１ａ、２１ｂの近傍において側壁部２２ａ、２２ｂの間に架設されたリブ２４とを有する。
【００５６】
そして、第１の被支持部２１ａ、２１ｂは、ミックス空間１２の略中央に回転可能に配置され（図１においては、片側の第１の被支持部２１ａのみを示す。）、閉塞部２３を第１の被支持部２１ａ、２１ｂよりも上流側に位置させて、バイパス通路１０と温風通路１１とのミックス空間１２に対する開口割合を調整することができるようにしている。
【００５７】
また、モードドア３０も、合成樹脂材により形成されたものである。そして、モードドア３０は、図１、図４、図７、図１５、図１８、図２６又は図２９に示されるように、回転軸線上に設けられた一対の第２の被支持部３１ａ、３１ｂと、この第２の被支持部３１ａ、３１ｂから当該第２の被支持部３１ａ、３１ｂの径方向に沿って延設されて相互に平行な一対の略扇形状をなす側壁部３２ａ、３２ｂと、この一対の側壁部３２ａ、側壁部３２ｂの外周縁間を繋ぐように形成された閉塞部３３と、第１の被支持部３１ａ、３１ｂの近傍において側壁部３２ａ、３２ｂの間に架設されたリブ３４とを有する。
【００５８】
そして、第２の被支持部３１ａ、３１ｂは、ミックスドア２０と同じ回転軸線上に回転可能に配置され、閉塞部３３を第２の被支持部３１ａ、３１ｂよりも下流側に位置させて、第１吹出通路５と第２吹出通路６とのミックス空間１２に対する開口割合を調整することができるようにしている。
【００５９】
更に、第１吹出通路５には、ミックス空間１２からデフロスト吹出開口１３に向かう空気とミックス空間１２からベント吹出開口１４に向かう空気との配風比率を調節する片持ち式のデフベントドア４０が設けられている。このデフベントドア４０をモードドア３０と協調して位置させることにより、送風機ユニットを介して空調ケース２に導入された空気を、デフロスト吹出開口１３、ベント吹出開口１４、フット吹出開口１５に適宜な比率で分配することができる。
【００６０】
ところで、上記した車両空調装置において、ミックスドア２０の第１の被支持部２１ａ、２１ｂとモードドア３０の第２の被支持部３１ａ、３１ｂとを同軸上で保持するドアの保持構造としては、実施例１、実施例２、実施例３として説明する構造がある。更に、各実施例においてそれぞれドアの保持構造を採用するにあたって、ミックスドア２０、モードドア３０の移動範囲を規制する規制機構としては、第１例、第２例、第３例及び第４例として示す構造がある。以下、各実施例１から実施例３を説明しつつその実施例の説明の中で各規制機構についても説明する。
【実施例１】
【００６１】
図２から図１２において、ドアの保持構造の実施例１が示されている。【００６２】
ミックスドア２０の第１の被支持部２１ａ（第１の被支持部の一方）は、図４、図７及び図１０に示されるように、側壁部２２ａから回転軸線上を空調ケース２の外側に向けて円筒状に延出することで形成されている。この第１の被支持部の一方２１ａは、空調ケース２の対向するケース部材２ａ（第１の壁）、２ｂ（第２の壁）のうちのケース部材２ａに形成された軸受孔４１に回転自在に支持されていると共に筒孔２５を有している。また、ミックスドア２０の第１の被支持部２１ｂ（第１の被支持部の他方）は、図４、図７及び図１０に示されるように、側壁部２２ｂの端部に形成された円板状部２８ａと、この円板状部２８ａの周縁から回転軸線に沿って空調ケース２の外側に向けて延びる周壁部２８ｂとを有して構成されている。そして、この第１の被支持部の他方２１ｂには、閉塞部２３とは反対側（図４中、上側)から閉塞部２３側（図４中、下側）に向かって、周壁部２８ｂと円板状部２８ａとを切欠いて、その先端が円板状部２８ａの径方向の中央まで延びたスリット部２８ｃが形成されている。【００６３】
モードドア３０の第２の被支持部３１ａ（第２の被支持部の一方）は、図４、図７及び図１０に示されるように、側壁部３２ａから回転軸線上を空調ケース２の外側に向けて円柱状に延出することで形成されている。この第２の被支持部の一方３１ａは、ミックスドア２０の第１の被支持部の一方２１ａに回転可能に支持されている。モードドア３０の第２の被支持部３１ｂ（第２の被支持部の他方）は、図４、図７及び図１０に示されるように、側壁部３２ｂから回転軸線上を空調ケース２の外側に向けて円筒状に延出することで形成されている。この第２の被支持部の他方３１ｂは、空調ケース２の対向するケース部材２ａ、２ｂのうちのケース部材２ｂに形成された軸受孔４２に回転自在に支持されている。【００６４】
ケース部材２ｂには、図１０（ｂ）に示されるように、第１の被支持部の他方２１ｂを保持する第１ドア支持部４３が形成されていても良い。この第１ドア支持部４３は、第２の軸受孔４２を中心として、その周囲を覆いつつ空調ケース２の内側に向けて環状に延設されている。第１ドア支持部４３の外径寸法は第１の被支持部の他方２１ｂの周壁部２８ｂの内径寸法より僅かに小さく形成されており、第１の被支持部の他方２１ｂを第１ドア支持部４３に回転自在に外装することが可能となっている。【００６５】
また、第２の被支持部の一方３１ａの端部は、外径寸法が第１の被支持部の一方２１ａに形成された筒孔２５の内径寸法よりも僅かに小さく形成されており、第２の被支持部の一方３１ａの端部を第１の被支持部の一方２１ａの筒孔２５に回転自在に挿入させることができる。【００６６】
このような構成のミックスドア２０とモードドア３０とを組み付けるには、図４（ａ）、図７（ａ）に示されるように、第１の被支持部２１ａ、２１ｂと第２の被支持部３１ａ、３１ｂとを近接した状態でミックスドア２０とモードドア３０とを対向させ、その状態から、まずモードドア３０を傾けて第２の被支持部の一方３１ａを第１の被支持部の一方２１ａが有する筒孔２５に挿入し、しかる後に、第２の被支持部の他方３１ｂを第１の被支持部の他方２１ｂに径方向外側（図４（ａ），図７（ａ）中、上方）から近づけて、スリット部２８ｃに挿通させ、第１の被支持部２１ａ、２１ｂと第２の被支持部３１ａ、３１ｂとの軸心をほぼ一致させることで、図４（ｂ）、図７（ｂ）に示されるように、ミックスドア２０とモードドア３０とを仮組み付けする。【００６７】
その後、図１０に示されるように、左右に分割された状態のケース部材２ａ、２ｂに、ミックスドア２０、モードドア３０を回転軸線方向から近づけて、第１の被支持部の一方２１ａをケース部材２ａの軸受孔４１に挿入し、第２の被支持部の他方３１ｂを、第１の被支持部の他方２１ｂのスリット部２８ｃを介して（スリット部２８ｃの間を挿通して）ケース部材２ｂの軸受孔４２に挿入し、第１の被支持部の他方２１ｂをケース部材２ｂの第１ドア支持部４３に外装し、ケース部材２ａ、２ｂを組み合わせて空調ケース２を構成する。尚、図１０は、分かりやすくするためにミックスドア２０とモードドア３０とが分かれて図示されているが、仮組み付けされた状態で、上記作業を行う。【００６８】
これにより、ミックスドア２０、モードドア３０は、空調ケース２のケース部材２ａ、２ｂ間に回転自在に且つ同じ回転軸線上で配置されることとなる。【００６９】
（第１例）
次に、ドア２０、３０の被支持部２１、３１の回転軸線に沿う方向への移動を規制するための、ミックスドア２０又はモードドア３０とケース部材２ａ又はケース部材２ｂとで適宜構成された規制機構５０ａ、５０ｂ及び６０ａ、６０ｂの第１例を、図２から図４に基づいて説明する。【００７０】
規制機構５０ａは、図２、図３に示されるように、第１ドア２０とケース部材２ａ（第１の壁）とで構成されるもので、側壁部２２ａの外面がケース部材２ａの内面に当接可能とされている。また、規制機構５０ｂは、図２、図３に示されるように、第１ドア２０とケース部材２ｂ（第２の壁）とで構成されるもので、第１の被支持部の他方２１ｂの周壁部２８ｂがケース部材２ｂの内面に当接可能とされている。【００７１】
規制機構６０ａは、図２から図４に示されるように、第２ドア３０とケース部材２ａ（第１の壁）とで構成されるもので、側壁部３２ａの外面からケース部材２ａに向かって延びた一方側ドア延出部６１がケース部材２ａの内面に当接可能とされている。一方側ドア延出部６１は、この実施例では、図４に示されるように、第２の被支持部の一方３１ａを中心点とした円周方向に沿って延びる円弧形状となっている。また、規制機構６０ｂは、図２から図４に示されるように、第２ドア３０とケース部材２ｂ（第２の壁）とで構成されるもので、第２の被支持部の他方３１ｂから回転軸線に対して略垂直方向に延びた他方側ドア延出部６２がケース部材２ｂの内面に当接可能とされている。【００７２】
ここで、図２に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ａに当接した状態において、次の関係となっている。【００７３】
モードドア３０（第２ドア）の他方側ドア延出部６２とケース部材２ｂの内面との間には間隔Ｌ１が存在する。間隔Ｌ１は、モードドア３０の回転軸方向への移動範囲となっている。また、ミックスドア２０（第１ドア）の第１の被支持部の他方２１ｂとケース部材２ｂの内面との間には間隔Ｌ２が存在する。間隔Ｌ２は、ミックスドア２０の回転軸方向への移動範囲となっている。ミックスドア２０とモードドア３０との間には、ミックスドア２０の第１の被支持部の他方２１ｂの円板状部２８ａとモードドア３０の側壁部３２ｂとの間の間隔Ｌ１０１と、ミックスドア２０の第１の被支持部の一方２１ａとモードドア３０の側壁部３２ａの外面との間の間隔Ｌ１０２と、ミックスドア２０の第１の被支持部の一方２１ａの筒孔２５の底面とモードドア３０の第２の被支持部の一方３１ａの頂面との間の間隔Ｌ１０３と、モードドア３０の他方側ドア延出部６２とミックスドア２０の第１の被支持部の他方２１ｂの円板状部２８ａとの間の間隔Ｌ１０４とが存在する。そして、間隔Ｌ１は、間隔Ｌ２、間隔Ｌ１０１、間隔Ｌ１０２、間隔Ｌ１０３、間隔Ｌ１０４よりも小さく設定され、間隔Ｌ２は、間隔Ｌ１０１、間隔Ｌ１０２、間隔Ｌ１０３、間隔Ｌ１０４のいずれよりも小さく設定されている。【００７４】
また、図３に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ｂに当接した状態において、次の関係となっている。【００７５】
モードドア３０（第２ドア）の一方側ドア延出部６１とケース部材２ａの内面との間には間隔Ｌ３が存在する。間隔Ｌ３は、モードドア３０の回転軸方向への移動範囲となっており、前記間隔Ｌ１と等しい。また、ミックスドア３０（第１ドア）の側壁部２２ａとケース部材２ａの内面との間には間隔Ｌ４が存在する。間隔Ｌ４は、ミックスドア２０の回転軸方向への移動範囲となっており、前記間隔Ｌ２と等しい。ミックスドア２０とモードドア３０との間には、前記間隔Ｌ１０１と、前記間隔Ｌ１０２と、前記間隔Ｌ１０３と、前記間隔Ｌ１０４とが存在する。間隔Ｌ３は、間隔Ｌ１０１、間隔Ｌ１０２、間隔Ｌ１０３、間隔Ｌ１０４のいずれよりも小さく設定され、間隔Ｌ４は、間隔Ｌ３、間隔Ｌ１０１、間隔Ｌ１０２、間隔Ｌ１０３、間隔Ｌ１０４のいずれよりも小さく設定されている。【００７６】
このことから、間隔Ｌ１と間隔Ｌ３とが等しく、間隔Ｌ１、Ｌ３は間隔Ｌ１０１、Ｌ１０２、Ｌ１０３、Ｌ１０４より小さい（間隔Ｌ１０１、Ｌ１０２、Ｌ１０３、Ｌ１０４間の大小は不問。）寸法関係にある。そして、間隔Ｌ２と間隔Ｌ４とが等しく、間隔Ｌ２、Ｌ４は間隔Ｌ１０１、Ｌ１０２、Ｌ１０３、Ｌ１０４より小さい（間隔Ｌ１０１、Ｌ１０２、Ｌ１０３、Ｌ１０４間の大小は不問。）寸法関係にある。【００７７】
このような寸法関係にあるので、ミックスドア２０とモードドア３０との一方又は双方がケース部材２ｂに当接するように移動（図２において、右側に移動）する場合に、間隔Ｌ１が間隔Ｌ１０１よりも小さく、間隔Ｌ２が間隔Ｌ１０２、間隔Ｌ１０３、間隔Ｌ１０４よりも小さいことから、ミックスドア２０とモードドア３０とは回転軸線に沿った方向において、当接することがない。【００７８】
すなわち、モードドア３０のみがケース部材２ｂに当接するように移動（図２において、右側に移動）する場合、間隔Ｌ１０１が縮み、間隔Ｌ１０２、間隔Ｌ１０３、間隔Ｌ１０４が広がる。ここで、間隔Ｌ１０１よりも間隔Ｌ１（モードドア３０の回転軸方向への移動範囲）が小さいので、間隔Ｌ１０１がゼロとなることがない。ミックスドア２０のみがケース部材２ｂに当接するように移動する場合、間隔Ｌ１０１が広がり、間隔Ｌ１０２、間隔Ｌ１０３、間隔Ｌ１０４が縮む。ここで、間隔Ｌ１０２、間隔Ｌ１０３、間隔Ｌ１０４よりも間隔Ｌ２（ミックスドア２０の回転軸方向への移動範囲）が小さいので、間隔Ｌ１０２、間隔Ｌ１０３、間隔Ｌ１０４がゼロとなることがない。ミックスドア２０とモードドア３０とがケース部材２ｂに対しそれぞれが当接するように移動する場合、間隔Ｌ２よりも間隔Ｌ１が小さいので、ミックスドア２０よりもモードドア３０の移動量が少なく、間隔Ｌ１０１が広がり、間隔Ｌ１０２、間隔Ｌ１０３、間隔Ｌ１０４が縮む。ここで、間隔Ｌ１０２、間隔Ｌ１０３、間隔Ｌ１０４よりも間隔Ｌ２が小さいので、間隔Ｌ１０２、間隔Ｌ１０３、間隔Ｌ１０４がゼロとなることがない。【００７９】
また、ミックスドア２０とモードドア３０との一方又は双方がケース部材２ａに当接するように移動（図３において、左側に移動）する場合に、間隔Ｌ３が間隔Ｌ１０２、間隔Ｌ１０３、間隔Ｌ１０４よりも小さく、間隔Ｌ４が間隔Ｌ１０１よりも小さいことから、ミックスドア２０とモードドア３０とは回転軸線に沿った方向において、当接することがない。【００８０】
すなわち、モードドア３０のみがケース部材２ａに当接するように移動（図３において、左側に移動）する場合、間隔Ｌ１０１が広がり、間隔Ｌ１０２、間隔Ｌ１０３、間隔Ｌ１０４が縮む。ここで、間隔Ｌ１０２、間隔Ｌ１０３、間隔Ｌ１０４よりも間隔Ｌ３（モードドア３０の回転軸方向への移動範囲）が小さいので、間隔Ｌ１０２、間隔Ｌ１０３、間隔Ｌ１０４がゼロとなることがない。ミックスドア２０のみがケース部材２ａに当接するように移動する場合、間隔Ｌ１０１が縮み、間隔Ｌ１０２、間隔Ｌ１０３、間隔Ｌ１０４が広がる。ここで、間隔Ｌ１０１よりも間隔Ｌ４（ミックスドア２０の回転軸方向への移動範囲）が小さいので、間隔Ｌ１０１がゼロとなることがない。ミックスドア２０とモードドア３０とがケース部材２ａに対しそれぞれが当接するように移動する場合、間隔Ｌ４よりも間隔Ｌ３が小さいので、ミックスドア２０よりもモードドア３０の移動量が少なく、間隔Ｌ１０１が縮み、間隔Ｌ１０２、間隔Ｌ１０３、間隔Ｌ１０４が広がる。ここで、間隔Ｌ１０１よりも間隔Ｌ４が小さいので、間隔Ｌ１０１がゼロとなることがない。【００８１】
しかるに、実施例１の第１例によれば、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【００８２】
（第２例）
更に、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第２例を、図５から図７を用いて説明する。【００８３】
規制機構５０ａは、図５、図６に示されるように、第１例と同様に、第１ドア２０とケース部材２ａ（第１の壁）とで構成されるもので、側壁部２２ａの外面がケース部材２ａの内面に当接可能とされている。規制機構５０ｂは、図５、図６に示されるように、第１例と同様に、第１ドア２０とケース部材２ｂ（第２の壁）とで構成されるもので、第１の被支持部の他方２１ｂの周壁部２８ｂがケース部材２ｂの内面に当接可能とされている。【００８４】
規制機構６０ａは、図５から図７に示されるように、第１例と同様に、第２ドア３０とケース部材２ａ（第１の壁）とで構成されるもので、側壁部３２ａの外面からケース部材２ａに向かって延びた一方側ドア延出部６１がケース部材２ａの内面に当接可能とされている。一方側ドア延出部６１は、この実施例では、図７に示されるように、第２の被支持部の一方３１ａを中心点とした円周方向に沿って延びる円弧形状となっている。また、規制機構６０ｂは、図５から図７に示されるように、第２ドア３０とケース部材２ｂ（第２の壁）とで構成されるもので、側壁部３２ｂの外面からケース部材２ｂに向かって延びた他方側ドア延出部６３がケース部材２ｂの内面に当接可能とされている。他方側ドア延出部６３は、この実施例では、図７に示されるように、第２の被支持部の他方３１ｂを中心点とした円周方向に沿って延びる円弧形状となっている。【００８５】
ここで、図５に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ａに当接した状態において、次の関係となっている。【００８６】
モードドア３０（第２ドア）の他方側ドア延出部６３とケース部材２ｂの内面との間には、間隔Ｌ５が存在する。間隔Ｌ５は、モードドア３０の回転軸方向への移動範囲となっている。ミックスドア２０（第１ドア）の第１の被支持部の他方２１ｂとケース部材２ｂの内面との間には、第１例と同様に、間隔Ｌ２が存在する。ミックスドア２０とモードドア３０との間には、第１例に示されたミックスドア２０とモードドア３０との間の間隔のうち、間隔Ｌ１０１と、間隔Ｌ１０２と、間隔Ｌ１０３とが存在する。そして、間隔Ｌ２は、これらの間隔Ｌ１０１、間隔Ｌ１０２、間隔Ｌ１０３のいずれよりも小さく設定されている。また、間隔Ｌ５は、間隔Ｌ２、間隔Ｌ１０１、間隔Ｌ１０２、間隔Ｌ１０３のいずれよりも小さく設定されている。【００８７】
また、図６に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ｂに当接した状態において、次の関係となっている。【００８８】
モードドア３０（第２ドア）の一方側ドア延出部６１とケース部材２ａの内面との間には、第１例と同様に、間隔Ｌ３が存在する。ミックスドア２０の側壁部２２ａとケース部材２ａの内面との間には、第１例と同様に、間隔Ｌ４が存在する。ミックスドア２０とモードドア３０との間には、第１例に示されたミックスドア２０とモードドア３０との間の間隔のうち、間隔Ｌ１０１と、間隔Ｌ１０２と、間隔Ｌ１０３とが存在する。間隔Ｌ３、Ｌ４は、これらの間隔Ｌ１０１、間隔Ｌ１０２、間隔Ｌ１０３のいずれよりも小さく設定されている。【００８９】
このことから、間隔Ｌ５と間隔Ｌ３とが等しく、間隔Ｌ５、Ｌ３は間隔Ｌ１０１、Ｌ１０２、Ｌ１０３より小さい（間隔Ｌ１０１、Ｌ１０２、Ｌ１０３間の大小は不問。）寸法関係にある。そして、間隔Ｌ２と間隔Ｌ４とが等しく、間隔Ｌ２、Ｌ４は間隔Ｌ１０１、Ｌ１０２、Ｌ１０３より小さい（間隔Ｌ１０１、Ｌ１０２、Ｌ１０３、Ｌ１０４間の大小は不問。）寸法関係にある。【００９０】
このような寸法関係にあるので、ミックスドア２０とモードドア３０との一方又は双方がケース部材２ｂに対しそれぞれが当接するように移動（図５において、右側に移動）する場合に、間隔Ｌ５が間隔Ｌ１０１よりも小さく、間隔Ｌ２が間隔Ｌ１０２、間隔Ｌ１０３のいずれよりも小さいことから、ミックスドア２０とモードドア３０とは回転軸線に沿った方向において、当接することがない。【００９１】
すなわち、モードドア３０のみがケース部材２ｂに当接するように移動（図５において、右側に移動）する場合、間隔Ｌ１０１が縮み、間隔Ｌ１０２、間隔Ｌ１０３が広がる。ここで、間隔Ｌ１０１よりも間隔Ｌ５（モードドア３０の回転軸方向への移動範囲）が小さいので、間隔Ｌ１０１がゼロとなることがない。ミックスドア２０のみがケース部材２ｂに当接するように移動する場合、間隔Ｌ１０１が広がり、間隔Ｌ１０２、間隔Ｌ１０３が縮む。ここで、間隔Ｌ１０２、間隔Ｌ１０３よりも間隔Ｌ２（ミックスドア２０の回転軸方向への移動範囲）が小さいので、間隔Ｌ１０２、間隔Ｌ１０２がゼロとなることがない。ミックスドア２０とモードドア３０とがケース部材２ｂに対しそれぞれが当接するように移動する場合、間隔Ｌ２よりも間隔Ｌ５が小さいので、ミックスドア２０よりもモードドア３０の移動量が少なく、間隔Ｌ１０１が広がり、間隔Ｌ１０２、間隔Ｌ１０３が縮む。ここで、間隔Ｌ１０２、間隔Ｌ１０３よりも間隔Ｌ２が小さいので、間隔Ｌ１０２、間隔Ｌ１０３がゼロとなることがない。【００９２】
また、ミックスドア２０とモードドア３０との一方又は双方がケース部材２ａに当接するように移動（図６において、左側に移動）する場合に、間隔Ｌ３、Ｌ４は、これらの間隔Ｌ１０１、間隔Ｌ１０２、間隔Ｌ１０３のいずれよりも小さいことから、ミックスドア２０とモードドア３０とは回転軸線に沿った方向において、当接することがない。【００９３】
すなわち、モードドア３０のみがケース部材２ａに当接するように移動（図６において、左側に移動）する場合、間隔Ｌ１０１が広がり、間隔Ｌ１０２、間隔Ｌ１０３が縮む。ここで、間隔Ｌ１０２、間隔Ｌ１０３よりも間隔Ｌ３（モードドア３０の回転軸方向への移動範囲）が小さいので、間隔Ｌ１０２、間隔Ｌ１０３がゼロとなることがない。ミックスドア２０のみがケース部材２ａに当接するように移動する場合、間隔Ｌ１０１が縮み、間隔Ｌ１０２、間隔Ｌ１０３が広がる。ここで、間隔Ｌ１０１よりも間隔Ｌ４（ミックスドア２０の回転軸方向への移動範囲）が小さいので、間隔Ｌ１０１がゼロとなることがない。ミックスドア２０とモードドア３０とがケース部材２ａに対しそれぞれが当接するように移動する場合、間隔Ｌ４よりも間隔Ｌ３が小さいので、ミックスドア２０よりもモードドア３０の移動量が少なく、間隔Ｌ１０１が縮み、間隔Ｌ１０２、間隔Ｌ１０３が広がる。ここで、間隔Ｌ１０１よりも間隔Ｌ４が小さいので、間隔Ｌ１０１がゼロとなることがない。【００９４】
しかるに、実施例１の第２例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われので、モードドア３０の移動範囲を小さくすることができる。また、ミックスドア２０とモードドア３０とが当接することがなくなるので、２つのドア２０、３０とも相手方のドアの回転の影響を受けることもなくなる。【００９５】
（第３例）
更にまた、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第３例を、図８から図１０を用いて説明する。【００９６】
規制機構５０ａは、図８、図９に示されるように、第１例、第２例と同様に、第１ドア２０とケース部材２ａ（第１の壁）とで構成されるもので、側壁部２２ａの外面がケース部材２ａの内面に当接可能とされている。規制機構５０ｂも、図８、図９に示されるように、第１例、第２例と同様に、第１ドア２０とケース部材２ｂ（第２の壁）とで構成されるもので、第１の被支持部の他方２１ｂの周壁部２８ｂがケース部材２ｂの内面に当接可能とされている。【００９７】
規制機構６０ａは、図８から図１０に示されるように、第２ドア３０とケース部材２ａ（第１の壁）とで構成されるもので、ケース部材２ａの内面から第２ドア３０に向かって延びた一方側壁延出部６４が第２ドア３０の側壁部３２ａの外面に当接可能とされている。一方側壁延出部６４は、この実施例では、図１０（ａ）に示されるように、軸受孔４１を中心点とした円周方向に沿って延びる円弧形状となっている。また、規制機構６０ｂは、図８から図１０に示されるように、第２ドア３０とケース部材２ｂ（第２の壁）とで構成されるもので、ケース部材２ｂの内面から第２ドア３０に向かって延びた他方側壁延出部６５が第２ドア３０の側壁部３２ｂの外面に当接可能とされている。他方側壁延出部６５は、この実施例では、図１０（ｂ）に示されるように、軸受孔４２を中心点とした円周方向に沿って延びる円弧形状となっている。【００９８】
ここで、図８に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ａに当接した状態において、次の関係となっている。【００９９】
モードドア３０（第２ドア）の側壁部３２ｂとケース部材２ｂの他方側壁延出部６５との間には間隔Ｌ６が存在する。間隔Ｌ６は、モードドア３０の回転軸方向への移動範囲となっている。ミックスドア２０（第１ドア）の第１の被支持部の他方２１ｂとケース部材２ｂの内面との間には、第１例、第２例と同様に、間隔Ｌ２が存在する。ミックスドア２０とモードドア３０との間には、第２例と同様に、間隔Ｌ１０１と、間隔Ｌ１０２と、間隔Ｌ１０３とが存在する。そして、間隔Ｌ２は、これらの間隔Ｌ１０１、間隔Ｌ１０２、間隔Ｌ１０３のいずれよりも小さく設定され、間隔Ｌ６は、間隔Ｌ２、間隔Ｌ１０１、間隔Ｌ１０２、間隔Ｌ１０３のいずれよりも小さく設定されている。【０１００】
また、図９に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ｂに当接した状態において、次の関係となっている。【０１０１】
モードドア３０（第２ドア）の側壁部３２ａとケース部材２ａの一方側壁延出部６４との間には間隔Ｌ７が存在する。間隔Ｌ７は、モードドア３０の回転軸方向への移動範囲となっており、間隔Ｌ６と等しい。ミックスドア２０（第１ドア）の側壁部２２ａとケース部材２ａの内面との間には、第１例、第２例と同様に、間隔Ｌ４が存在する。ミックスドア２０とモードドア３０との間には、第２例と同様に、間隔Ｌ１０１と、間隔Ｌ１０２と、間隔Ｌ１０３とが存在する。そして、間隔Ｌ７、Ｌ４は、これらの間隔Ｌ１０１、間隔Ｌ１０２、間隔Ｌ１０３のいずれよりも小さく設定されている。【０１０２】
このことから、間隔Ｌ６と間隔Ｌ７とが等しく、間隔Ｌ６、Ｌ７は間隔Ｌ１０１、Ｌ１０２、Ｌ１０３より小さい（間隔Ｌ１０１、Ｌ１０２、Ｌ１０３間の大小は不問。）寸法関係にある。そして、間隔Ｌ２と間隔Ｌ４とが等しく、間隔Ｌ２、Ｌ４は間隔Ｌ１０１、Ｌ１０２、Ｌ１０３より小さい（間隔Ｌ１０１、Ｌ１０２、Ｌ１０３間の大小は不問。）寸法関係にある。【０１０３】
このような寸法関係にあるので、ミックスドア２０とモードドア３０との一方又は双方がケース部材２ｂに当接するように移動（図８において、右側に移動）する場合に、間隔Ｌ６が間隔Ｌ１０１よりも小さく、間隔Ｌ２が間隔Ｌ１０２、間隔Ｌ１０３よりも小さいことから、ミックスドア２０とモードドア３０とは回転軸線に沿った方向において、当接することがない。【０１０４】
すなわち、モードドア３０のみがケース部材２ｂに当接するように移動（図８において、右側に移動）する場合、間隔Ｌ１０１が縮み、間隔Ｌ１０２、間隔Ｌ１０３が広がる。ここで、間隔Ｌ１０１よりも間隔Ｌ６（モードドア３０の回転軸方向への移動範囲）が小さいので、間隔Ｌ１０１がゼロとなることがない。ミックスドア２０のみがケース部材２ｂに当接するように移動する場合、間隔Ｌ１０１が広がり、間隔Ｌ１０２、間隔L１０３が縮む。ここで、間隔Ｌ１０２、間隔Ｌ１０３よりも間隔Ｌ２（ミックスドア２０の回転軸方向への移動範囲）が小さいので、間隔Ｌ１０２、間隔Ｌ１０３がゼロとなることがない。ミックスドア２０とモードドア３０とがケース部材２ｂに対しそれぞれが当接するように移動する場合、間隔Ｌ２よりも間隔Ｌ６が小さいので、ミックスドア２０よりもモードドア３０の移動量が少なく、間隔Ｌ１０１が広がり、間隔Ｌ１０２、間隔Ｌ１０３が縮む。ここで、間隔Ｌ１０２、間隔Ｌ１０３よりも間隔Ｌ２が小さいので、間隔Ｌ１０２、間隔Ｌ１０３がゼロとなることがない。【０１０５】
また、ミックスドア２０とモードドア３０との一方又は双方がケース部材２ａに当接するように移動（図９において、左側に移動）する場合に、間隔Ｌ７が間隔Ｌ１０２、間隔Ｌ１０３よりも小さく、間隔Ｌ４が間隔Ｌ１０１よりも小さいことから、ミックスドア２０とモードドア３０とは回転軸線に沿った方向において、当接することがない。【０１０６】
すなわち、モードドア３０のみがケース部材２ａに当接するように移動（図９において、左側に移動）する場合、間隔Ｌ１０１が広がり、間隔Ｌ１０２、間隔Ｌ１０３が縮む。ここで、間隔Ｌ１０２、間隔Ｌ１０３よりも間隔Ｌ７（モードドア３０の回転軸方向への移動範囲）が小さいので、間隔Ｌ１０２、間隔Ｌ１０３がゼロとなることがない。ミックスドア２０のみがケース部材２ａに当接するように移動する場合、間隔Ｌ１０１が縮み、間隔Ｌ１０２、間隔Ｌ１０３が広がる。ここで、間隔Ｌ１０１よりも間隔Ｌ４（ミックスドア２０の回転軸方向への移動範囲）が小さいので、間隔Ｌ１０１がゼロとなることがない。ミックスドア２０とモードドア３０とがケース部材２ａに対しそれぞれが当接するように移動する場合、間隔Ｌ４よりも間隔Ｌ７が小さいので、ミックスドア２０よりもモードドア３０の移動量が少なく、間隔Ｌ１０１が縮み、間隔Ｌ１０２、間隔Ｌ１０３が広がる。ここで、間隔Ｌ１０１よりも間隔Ｌ４が小さいので、間隔Ｌ１０１がゼロとなることがない。【０１０７】
しかるに、実施例１の第３例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０１０８】
（第４例）
そして、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第４例を、図１１及び図１２を用いて説明する。【０１０９】
規制機構５０ａは、図１１、図１２に示されるように、第１例から第３例と同様に、第１ドア２０とケース部材２ａ（第１の壁）とで構成されるもので、側壁部２２ａの外面がケース部材２ａの内面に当接可能とされている。規制機構５０ｂも、図１１、図１２に示されるように、第１例から第３例と同様に、第１ドア２０とケース部材２ｂ（第２の壁）とで構成されるもので、第１の被支持部の他方２１ｂの周壁部２８ｂがケース部材２ｂの内面に当接可能とされている。【０１１０】
規制機構６０ａは、図１１、図１２に示されるように、第２ドア３０とケース部材２ａ（第１の壁）とで構成されるもので、ケース部材２ａのうちモードドア３０の側壁部３２ａの外面と対峙し且つミックスドア２０の第１の被支持部２１ａよりも上方側となる部位をケース部材２ａの他の部位よりもケース部材２ｂ側に折り曲げることで形成された平板状の段差面６６を有している。この段差面６６が側壁部３２ａの外面に当接可能とされている。また、規制機構６０ｂは、図１１、図１２に示されるように、第２ドア３０とケース部材２ｂ（第２の壁）とで構成されるもので、ケース部材２ｂの内面のうちモードドア３０の側壁部３２ｂの外面と対峙し且つミックスドア２０の第１の被支持部２１ｂの周壁部２８ｂよりも上方側となる部位をケース部材２ｂの他の部位よりもケース部材２ａ側に折り曲げることで形成された平板状の段差面６７を有している。この段差面６７が側壁部３２ｂの外面に当接可能とされている。【０１１１】
ここで、図１１に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ａに当接した状態において、次の関係となっている。【０１１２】
モードドア３０の側壁部３２ｂとケース部材２ｂの段差面６７との間には間隔Ｌ８が存在する。間隔Ｌ８は、モードドア３０の回転軸方向への移動範囲となっている。ミックスドア２０（第１ドア）の第１の被支持部の他方２１ｂとケース部材２ｂの内面との間には、第１例から第３例と同様に、間隔Ｌ２が存在する。ミックスドア２０とモードドア３０との間には、第２例、第３例と同様に、間隔Ｌ１０１と、間隔Ｌ１０２と、間隔Ｌ１０３とが存在する。そして、間隔Ｌ２は、これらの間隔Ｌ１０１、間隔Ｌ１０２、間隔Ｌ１０３のいずれよりも小さく設定され、間隔Ｌ８は、間隔Ｌ２、間隔Ｌ１０１、間隔Ｌ１０２、間隔Ｌ１０３のいずれよりも小さく設定されている。【０１１３】
また、図１２に示されるように、ミックスドア２０（第１ドア）と、モードドア３０（第２ドア）と、ケース部材２ａ（第１の壁）と、ケース部材２ｂ（第２の壁）とは、ミックスドア２０とモードドア３０とがケース部材２ｂに当接した状態において、次の関係となっている。【０１１４】
モードドア３０（第２ドア）の側壁部３２ａとケース部材２ａの段差面６６との間には間隔Ｌ９が存在する。間隔Ｌ９は、モードドア３０の回転軸方向への移動範囲となっており、間隔Ｌ８と等しい。ミックスドア２０（第１ドア）の側壁部２２ａとケース部材２ａの内面との間には、第１例から第３例と同様に、間隔Ｌ４が存在する。ミックスドア２０とモードドア３０との間には、第２例、第３例と同様に、間隔Ｌ１０１と、間隔Ｌ１０２と、間隔Ｌ１０３とが存在する。そして、間隔Ｌ９、Ｌ４は、これらの間隔Ｌ１０１、間隔Ｌ１０２、間隔Ｌ１０３のいずれよりも小さく設定されている。【０１１５】
このことから、間隔Ｌ８と間隔Ｌ９とが等しく、間隔Ｌ８、Ｌ９は間隔Ｌ１０１、Ｌ１０２、Ｌ１０３より小さい（間隔Ｌ１０１、Ｌ１０２、Ｌ１０３間の大小は不問。）寸法関係にある。そして、間隔Ｌ２と間隔Ｌ４とが等しく、間隔Ｌ２、Ｌ４は間隔Ｌ１０１、Ｌ１０２、Ｌ１０３より小さい（間隔Ｌ１０１、Ｌ１０２、Ｌ１０３間の大小は不問。）寸法関係にある。【０１１６】
このような寸法関係にあるので、ミックスドア２０とモードドア３０との一方又は双方がケース部材２ｂに当接するように移動（図１１において、右側に移動）する場合に、間隔Ｌ８が間隔Ｌ１０１よりも小さく、間隔Ｌ２が間隔Ｌ１０２、間隔Ｌ１０３よりも小さいことから、ミックスドア２０とモードドア３０とは回転軸線に沿った方向において、当接することがない。【０１１７】
すなわち、モードドア３０のみがケース部材２ｂに当接するように移動（図１１において、右側に移動）する場合、間隔Ｌ１０１が縮み、間隔Ｌ１０２、間隔Ｌ１０３が広がる。ここで、間隔Ｌ１０１よりも間隔Ｌ８（モードドア３０の回転軸方向への移動範囲）が小さいので、間隔Ｌ１０１がゼロとなることがない。ミックスドア２０のみがケース部材２ｂに当接するように移動する場合、間隔Ｌ１０１が広がり、間隔Ｌ１０２、間隔L１０３が縮む。ここで、間隔Ｌ１０２、間隔Ｌ１０３よりも間隔Ｌ２（ミックスドア２０の回転軸方向への移動範囲）が小さいので、間隔Ｌ１０２、間隔Ｌ１０３がゼロとなることがない。ミックスドア２０とモードドア３０とがケース部材２ｂに対しそれぞれが当接するように移動する場合、間隔Ｌ２よりも間隔Ｌ８が小さいので、ミックスドア２０よりもモードドア３０の移動量が少なく、間隔Ｌ１０１が広がり、間隔Ｌ１０２、間隔Ｌ１０３が縮む。ここで、間隔Ｌ１０２、間隔Ｌ１０３よりも間隔Ｌ２が小さいので、間隔Ｌ１０２、間隔Ｌ１０３がゼロとなることがない。【０１１８】
しかるに、実施例１の第４例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。
【実施例２】
【０１１９】
図１３から図２３において、ドアの保持構造の実施例２が示されている。【０１２０】
ミックスドア２０の第１の被支持部２１ａ（第１の被支持部の一方）は、図１５、図１８及び図２１に示されるように、側壁部２２ａから回転軸線上を空調ケース２の外側に向けて円筒状に延出することで形成されている。そして、第１の被支持部の一方２１ａは、空調ケース２の対向するケース部材２ａ（第１の壁）、２ｂ（第２の壁）のうちのケース部材２ａに形成された軸受孔４１に回転自在に支持されていると共に筒孔２５を有している。また、ミックスドア２０の第１の被支持部２１ｂ（第１の被支持部の他方）は、図１５、図１８及び図２１に示されるように、側壁部２２ｂから回転軸線上を空調ケース２の外側に向けて円柱状に延出することで形成されている。【０１２１】
モードドア３０の第２の被支持部３１ａ（第２の被支持部の一方）は、図１５、図１８及び図２１に示されるように、側壁部２２ａから回転軸線上を空調ケース２の外側に向けて円柱状に延出することで形成されている。また、モードドア３０の第２の被支持部３１ｂ（第２の被支持部の他方）は、図１５、図１８及び図２１に示されるように、側壁部２２ｂから回転軸線上を空調ケース２の外側に向けて円筒状に延出することで形成されている。そして、第２の被支持部の他方３１ｂは、空調ケース２の対向するケース部材２ａ、２ｂのうちのケース部材２ｂに形成された軸受孔４２に回転自在に支持されていると共に筒孔３５を有している。【０１２２】
第２の被支持部の一方３１ａの端部は、外径寸法が第１の被支持部の一方２１ａに形成された筒孔２５の内径寸法よりも僅かに小さく形成されており、第２の被支持部の一方３１ａの端部を第１の被支持部の一方２１ａの筒孔２５に回転自在に挿入させることができる。また、第１の被支持部の他方２１ｂの端部は、外径寸法が第２の被支持部の他方３１ｂに形成された筒孔３５の内径寸法よりも僅かに小さく形成されており、第１の被支持部の他方２１ｂの端部を第２の被支持部の他方３１ｂの筒孔３５に回転自在に挿入させることができる。【０１２３】
第１の被支持部の一方２１ａの回転軸線に沿った方向の寸法は、第２の被支持部の一方３１ａの回転軸線に沿った方向の寸法よりも長くなるように形成されており、第２の被支持部の一方３１ａが挿入される範囲の筒孔２５の内形状は少なくとも断面が円形状となるように形成されている。また、第２の被支持部の他方３１ｂの回転軸線に沿った方向の寸法は、第１の被支持部の他方２１ｂの回転軸線に沿った方向の寸法よりも長くなるように形成されており、第１の被支持部の他方２１ｂが挿入される範囲の筒孔３５の内形状は少なくとも断面が円形状となるように形成されている。【０１２４】
このような構成のミックスドア２０とモードドア３０とを組み付けるには、図１５、図１８に示されるように、第１の被支持部２１ａ、２１ｂと被支持部３１ａ、３１ｂとを近接した状態でミックスドア２０とモードドア３０とを対向させ、その状態から、ミックスドア２０の被支持部２１ａ、２１ｂとモードドア３０の被支持部３１ａ、３１ｂとが同軸線上に沿って一列になるように、互いのドア２０、３０を回転軸線上に沿ってずらした状態とし、しかる後に、モードドア３０をミックスドア２０に対し軸方向で重ね合せるように移動させて、第２の被支持部の一方３１ａを第１の被支持部の一方２１ａに対して軸方向に沿って近接させ、また、第２の被支持部の他方３１ｂを第１の被支持部の他方２１ｂに対して軸方向に沿って、第２の被支持部の一方３１ａを第１の被支持部の一方２１ａに近接させる方向と同方向から近接させる。【０１２５】
そして、第２の被支持部の一方３１ａを第１の被支持部の一方２１ａの筒孔２５に挿入させ、すなわち第１の被支持部の一方２１ａを第２の被支持部の一方３１ａに外装させ、また、第２の被支持部の他方３１ｂを第１の被支持部の他方２１ｂに外装させ、すなわち、第１の被支持部の他方２１ｂを第２の被支持部の他方３１ｂが有する筒孔３５に挿入させることで、ミックスドア２０とモードドア３０とを同軸上で互いに回転可能に仮組み付けする。【０１２６】
その後、図２１に示すように、左右に分割された状態のケース部材２ａ、２ｂに、ミックスドア２０、モードドア３０を回転軸線方向から近づけて、第１の被支持部の一方２１ａをケース部材２ａの軸受孔４１に挿入し、第２の被支持部の他方３１ｂを第１のケース部材の他方２ｂが有する軸受孔４２に挿入し、ケース部材２ａ、２ｂを組み合わせて空調ケース２を構成する。尚、図２１は分かりやすくするためにミックスドア２０とモードドア３０とが分かれて図示されているが、仮組み付けされた状態で上記作業を行う。【０１２７】
（第１例）
次に、ドア２０、３０の被支持部２１、３１の回転軸線に沿う方向への移動を規制するための、ミックスドア２０又はモードドア３０とケース部材２ａ又はケース部材２ｂとで適宜構成された規制機構５０ａ、５０ｂ及び６０ａ、６０ｂの第１例を、図１３から図１５に基づいて説明する。【０１２８】
規制機構５０ａは、図１３から図１５に示されるように、第１ドア２０とケース部材２ａ（第１の壁）とで構成されるもので、側壁部２２ａの外面がケース部材２ａの内面に当接可能とされている。また、規制機構５０ｂは、図１３から図１５に示されるように、第１ドア２０とケース部材２ｂ（第２の壁）とで構成されるもので、側壁部２２ｂの外面からケース部材２ｂに向かって延びたドア延出部５１が当接可能とされている。ドア延出部５１は、この実施例では、図１５に示されるように、第１の被支持部の他方２１ｂを中心点とした円周方向に沿って延びる円弧形状となっている。【０１２９】
規制機構６０ａは、図１３から図１５に示されるように、ケース部材２ａ（第１の壁）と第２ドア３０とで構成されるもので、ケース部材２ａの内面に、側壁部３２ａの外面からケース部材２ａに向かって延びた一方側ドア延出部６１が当接可能とされている。一方側ドア延出部６１は、この実施例では、図１５に示されるように、第２の被支持部の一方３１ａを中心点とした円周方向に沿って延びる円弧形状となっている。また、規制機構６０ｂは、図１３から図１５に示されるように、ケース部材２ｂ（第２の壁）と第２ドア３０とで構成されるもので、ケース部材２ｂの内面に、第２の被支持部の他方３１ｂから回転軸線に対して略垂直方向に延びた他方側ドア延出部６２が当接可能とされている。【０１３０】
次に、図１３を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１と同様の間隔は、間隔Ｌ１、間隔Ｌ１０２、間隔Ｌ１０３と、実施例１と共通の符号を付して、その説明を簡略化する。【０１３１】
モードドア３０（第２ドア）とケース部材２ｂとの間には、実施例１と同様の間隔Ｌ１が存在する。ミックスドア２０（第１ドア）のドア延出部５１とケース部材２ｂの内面との間には間隔Ｌ１０が存在する。間隔Ｌ１０は、ミックスドア２０の回転軸方向への移動範囲となっている。そして、ミックスドア２０とモードドア３０との間には、実施例１と同様の間隔Ｌ１０２、間隔Ｌ１０３の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ１０は、間隔Ｌ１０２、間隔Ｌ１０３、間隔Ｌ１０５、間隔Ｌ１０６のいずれよりも小さく設定されている。【０１３２】
また、図１４を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１と同様の間隔は、間隔Ｌ３、間隔Ｌ４、間隔Ｌ１０２、間隔Ｌ１０３と、実施例１と共通の符号を付して、その説明を簡略化する。【０１３３】
モードドア３０（第２ドア）とケース部材２ａとの間には、実施例１と同様の間隔Ｌ３が存在し、ミックスドアモードドア２０（第２ドア）とケース部材２ｂとの間には、実施例１と同様の間隔Ｌ４が存在する。ミックスドア２０とモードドア３０との間には、実施例１と同様の間隔Ｌ１０２、間隔Ｌ１０３の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ３は、間隔Ｌ１０２、間隔Ｌ１０３、間隔Ｌ１０５、間隔Ｌ１０６のいずれよりも小さく設定されている。【０１３４】
このことから、間隔Ｌ１と間隔Ｌ３とが等しく、間隔Ｌ１、Ｌ３は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。そして、間隔Ｌ１０と間隔Ｌ４とが等しく、間隔Ｌ１０、Ｌ４は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。【０１３５】
このような寸法関係にあるので、ミックスドア２０とモードドア３０との一方又は双方がケース部材２ｂに当接するように移動（図１３において、右側に移動）する場合に、間隔Ｌ１０が間隔Ｌ１０２、間隔Ｌ１０３、間隔Ｌ１０５、間隔Ｌ１０６のいずれよりも小さいことから、ミックスドア２０とモードドア３０とは回転軸線に沿った方向において、当接することがない。【０１３６】
すなわち、モードドア３０のみがケース部材２ｂに当接するように移動（図１３において、右側に移動）する場合、間隔Ｌ１のみが縮まり、間隔Ｌ１０２、間隔Ｌ１０３、間隔Ｌ１０５、間隔Ｌ１０６のいずれも縮まることがない。このため、モードドア３０が、図１３の右側に移動しても、間隔Ｌ１０２、間隔Ｌ１０３、間隔Ｌ１０５、間隔Ｌ１０６がゼロとなることがない。ミックスドア２０のみがケース部材２ｂに当接するように移動する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ１０（ミックスドア２０の回転軸方向への移動範囲）が小さいので、間隔Ｌ１０２、間隔Ｌ１０３、間隔Ｌ１０５、間隔Ｌ１０６がゼロとなることがない。ミックスドア２０とモードドア３０とがケース部材２ｂに対しそれぞれが当接するように移動する場合、間隔Ｌ１よりも間隔Ｌ１０が小さくても、モードドア３０の移動量がミックスドア２０に影響しない。このため、ミックスドア２０とモードドア３０とがケース部材２ｂに対しそれぞれが当接するように移動する場合、ミックスドア２０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５、Ｌ１０６よりも間隔Ｌ１０が小さいので、間隔Ｌ１０２、間隔Ｌ１０３、間隔Ｌ１０５、間隔Ｌ１０６がゼロとなることがない。【０１３７】
また、ミックスドア２０とモードドア３０との一方又は双方がケース部材２ａに当接するように移動（図１４において、左側に移動）する場合に、間隔Ｌ３が間隔Ｌ１０２、間隔Ｌ１０３、間隔Ｌ１０５、間隔Ｌ１０６のいずれよりも小さいことから、ミックスドア２０とモードドア３０とは回転軸線に沿った方向において、当接することがない。【０１３８】
すなわち、モードドア３０のみがケース部材２ａに当接するように移動（図１４において、左側に移動）する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ３（モードドア３０の回転軸方向への移動範囲）が小さいので、間隔Ｌ１０２、間隔Ｌ１０３、間隔Ｌ１０５、間隔Ｌ１０６がゼロとなることがない。ミックスドア２０のみがケース部材２ａに当接するように移動する場合、間隔Ｌ４のみが縮まり、間隔Ｌ１０２、間隔Ｌ１０３、間隔Ｌ１０５、間隔Ｌ１０６のいずれも縮まることがない。このため、ミックスドア２０が、図１４の左側に移動しても、間隔Ｌ１０２、間隔Ｌ１０３、間隔Ｌ１０５、間隔Ｌ１０６がゼロとなることがない。ミックスドア２０とモードドア３０とがケース部材２ａに対しそれぞれが当接するように移動する場合、間隔Ｌ３よりも間隔Ｌ４が小さくても、ミックスドア２０の移動量がモードドア３０に影響しない。このため、ミックスドア２０とモードドア３０とがケース部材２ａに対しそれぞれが当接するように移動する場合、モードドア３０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５、Ｌ１０６よりも間隔Ｌ３が小さいので、間隔Ｌ１０２、間隔Ｌ１０３、間隔Ｌ１０５、間隔Ｌ１０６がゼロとなることがない。【０１３９】
しかるに、実施例２の第１例によれば、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０１４０】
（第２例）
更に、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第２例を、図１６から図１８を用いて説明する。【０１４１】
規制機構５０ａは、図１６から図１８に示されるように、本実施例の第１例と同様に、第１ドア２０とケース部材２ａ（第１の壁）とで構成されるもので、側壁部２２ａの外面がケース部材２ａの内面に当接可能とされている。また、規制機構５０ｂは、図１６から図１８に示されるように、本実施例の第１例と同様に、第１ドア２０とケース部材２ｂ（第２の壁）とで構成されるもので、側壁部２２ｂの外面からケース部材２ｂに向かって延びたドア延出部５１が当接可能とされている。ドア延出部５１は、この実施例では、図１８に示されるように、第１の被支持部の他方２１ｂを中心点とした円周方向に沿って延びる円弧形状となっている。【０１４２】
規制機構６０ａは、図１６から図１８に示されるように、本実施例の第１例と同様に、ケース部材２ａ（第１の壁）と第２ドア３０とで構成されるもので、ケース部材２ａの内面に、側壁部３２ａの外面からケース部材２ａに向かって延びた一方側ドア延出部６１が当接可能とされている。一方側ドア延出部６１は、この実施例では、図１８に示されるように、第２の被支持部の一方３１ａを中心点とした円周方向に沿って延びる円弧形状となっている。また、規制機構６０ｂは、図１６から図１８に示されるように、第２ドア３０とケース部材２ｂ（第２の壁）とで構成されるもので、側壁部３２ｂの外面からケース部材２ｂに向かって延びた他方側ドア延出部６３がケース部材２ｂの内面に当接可能とされている。他方側ドア延出部６３は、この実施例では、図１８に示されるように、第２の被支持部の他方３１ｂを中心点とした円周方向に沿って延びる円弧形状となっている。【０１４３】
次に、図１６を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１と同様の間隔は、間隔Ｌ５、間隔Ｌ１０２、間隔Ｌ１０３と、実施例１と共通の符号を付して、その説明を簡略化する。【０１４４】
モードドア３０（第２ドア）とケース部材２ｂとの間には、実施例１と同様の間隔Ｌ５が存在する。ミックスドア２０（第１ドア）のドア延出部５１とケース部材２ｂの内面との間には間隔Ｌ１０が存在する。間隔Ｌ１０は、ミックスドア２０の回転軸方向への移動範囲となっている。ミックスドア２０とモードドア３０との間には、実施例１と同様の間隔Ｌ１０２、間隔Ｌ１０３の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ１０は、間隔Ｌ１０２、間隔Ｌ１０３、間隔Ｌ１０５、間隔Ｌ１０６のいずれよりも小さく設定されている。【０１４５】
また、図１７を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１と同様の間隔は、間隔Ｌ３、間隔Ｌ４、間隔Ｌ１０２、間隔Ｌ１０３と、実施例１と共通の符号を付して、その説明を簡略化する。【０１４６】
モードドア３０（第２ドア）とケース部材２ａとの間には、実施例１と同様の間隔Ｌ３が存在し、ミックスドアモードドア２０（第２ドア）とケース部材２ｂとの間には、実施例１と同様の間隔Ｌ４が存在する。ミックスドア２０とモードドア３０との間には、実施例１と同様の間隔Ｌ１０２、間隔Ｌ１０２の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ３は、間隔Ｌ１０２、間隔Ｌ１０３、間隔Ｌ１０５、間隔Ｌ１０６のいずれよりも小さく設定されている。【０１４７】
このことから、間隔Ｌ５と間隔Ｌ３とが等しく、間隔Ｌ５、Ｌ３は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。そして、間隔Ｌ１０と間隔Ｌ４とが等しく、間隔Ｌ１０、Ｌ４は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。【０１４８】
このような寸法関係にあるので、ミックスドア２０とモードドア３０との一方又は双方がケース部材２ｂに当接するように移動（図１６において、右側に移動）する場合に、実施例２の第１例と同様に、間隔Ｌ１０が間隔Ｌ１０２、間隔Ｌ１０３、間隔Ｌ１０５、間隔Ｌ１０６のいずれよりも小さいことから、ミックスドア２０とモードドア３０とは回転軸線に沿った方向において、当接することがない。【０１４９】
すなわち、モードドア３０のみがケース部材２ｂに当接するように移動（図１６において、右側に移動）する場合、間隔Ｌ５のみが縮まり、間隔Ｌ１０２、間隔Ｌ１０３、間隔Ｌ１０５、間隔Ｌ１０６のいずれも縮まることがない。このため、モードドア３０が、図１６の右側に移動しても、間隔Ｌ１０２、間隔Ｌ１０３、間隔Ｌ１０５、間隔Ｌ１０６がゼロとなることがない。ミックスドア２０のみがケース部材２ｂに当接するように移動する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ１０（ミックスドア２０の回転軸方向への移動範囲）が小さいので、間隔Ｌ１０２、間隔Ｌ１０３、間隔Ｌ１０５、間隔Ｌ１０６がゼロとなることがない。ミックスドア２０とモードドア３０とがケース部材２ｂに対しそれぞれが当接するように移動する場合、間隔Ｌ５よりも間隔Ｌ１０が小さくても、モードドア３０の移動量がミックスドア２０に影響しない。このため、ミックスドア２０とモードドア３０とがケース部材２ｂに対しそれぞれが当接するように移動する場合、ミックスドア２０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５よりも間隔Ｌ１０が小さいので、間隔Ｌ１０２、間隔Ｌ１０３、間隔Ｌ１０５、間隔Ｌ１０６がゼロとなることがない。【０１５０】
また、ミックスドア２０とモードドア３０とがケース部材２ａに対しそれぞれが当接するように移動（図１７において、左側に移動）する場合に、実施例２の第１例と同様に、間隔Ｌ３が間隔Ｌ１０２、間隔Ｌ１０３、間隔Ｌ１０５、間隔Ｌ１０６のいずれよりも小さいことから、ミックスドア２０とモードドア３０とは回転軸線に沿った方向において、当接することがない。【０１５１】
すなわち、モードドア３０のみがケース部材２ａに当接するように移動（図１７において、左側に移動）する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ３（モードドア３０の回転軸方向への移動範囲）が小さいので、間隔Ｌ１０２、間隔Ｌ１０３、間隔Ｌ１０５、間隔Ｌ１０６がゼロとなることがない。ミックスドア２０のみがケース部材２ａに当接するように移動する場合、間隔Ｌ４のみが縮まり、間隔Ｌ１０２、間隔Ｌ１０３、間隔Ｌ１０５、間隔Ｌ１０６のいずれも縮まることがない。このため、ミックスドア２０が、図１７の左側に移動しても、間隔Ｌ１０２、間隔Ｌ１０３、間隔Ｌ１０５、間隔Ｌ１０６がゼロとなることがない。ミックスドア２０とモードドア３０とがケース部材２ａに対しそれぞれが当接するように移動する場合、間隔Ｌ３よりも間隔Ｌ４が小さくても、ミックスドア２０の移動量がモードドア３０に影響しない。このため、ミックスドア２０とモードドア３０とがケース部材２ａに対しそれぞれが当接するように移動する場合、モードドア３０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５、Ｌ１０６よりも間隔Ｌ３が小さいので、間隔Ｌ１０２、間隔Ｌ１０３、間隔Ｌ１０５、間隔Ｌ１０６がゼロとなることがない。【０１５２】
しかるに、実施例２の第２例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０１５３】
（第３例）
更にまた、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第３例を、図１９から図２１を用いて説明する。【０１５４】
規制機構５０ａは、図１９から図２１に示されるように、本実施例の第１例や、第２例と同様に、第１ドア２０とケース部材２ａ（第１の壁）とで構成されるもので、側壁部２２ａの外面がケース部材２ａの内面に当接可能とされている。また、規制機構５０ｂは、図１９から図２１に示されるように、本実施例の第１例や、第２例と同様に、第１ドア２０とケース部材２ｂ（第２の壁）とで構成されるもので、側壁部２２ｂの外面からケース部材２ｂに向かって延びたドア延出部５１が当接可能とされている。ドア延出部５１は、図示しないが、第１例の図１５や第２例の図１８と同様に、第１の被支持部の他方２１ｂを中心点とした円周方向に沿って延びる円弧形状となっている。【０１５５】
規制機構６０ａは、図１９から図２１に示されるように、第２ドア３０とケース部材２ａ（第１の壁）とで構成されるもので、ケース部材２ａの内面から第２ドア３０に向かって延びた一方側壁延出部６４が第２ドア３０の側壁部３２ａの外面に当接可能とされている。一方側壁延出部６４は、この実施例では、図２１（ａ）に示されるように、軸受孔４１を中心点とした円周方向に沿って延びる円弧形状となっている。また、規制機構６０ｂは、図１９から図２１に示されるように、第２ドア３０とケース部材２ｂ（第２の壁）とで構成されるもので、ケース部材２ｂの内面から第２ドア３０に向かって延びた他方側壁延出部６５が第２ドア３０の側壁部３２ｂの外面に当接可能とされている。他方側壁延出部６５は、この実施例では、図２１（ｂ）に示されるように、軸受孔４２を中心点とした円周方向に沿って延びる円弧形状となっている。【０１５６】
次に、図１９を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１と同様の間隔は、間隔Ｌ６、間隔Ｌ１０２、間隔Ｌ１０３と、実施例１と共通の符号を付して、その説明を簡略化する。【０１５７】
モードドア３０（第２ドア）とケース部材２ｂとの間には、実施例１と同様の間隔Ｌ６が存在する。ミックスドア２０（第１ドア）のドア延出部５１とケース部材２ｂの内面との間には間隔Ｌ１０が存在する。間隔Ｌ１０は、ミックスドア２０の回転軸方向への移動範囲となっている。ミックスドア２０とモードドア３０との間には、実施例１と同様の間隔Ｌ１０２、間隔Ｌ１０３の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ１０は、間隔Ｌ１０２、間隔Ｌ１０３、間隔Ｌ１０５、間隔Ｌ１０６のいずれよりも小さく設定されている。【０１５８】
また、図２０を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１と同様の間隔は、間隔Ｌ７、間隔Ｌ４、間隔Ｌ１０２、間隔Ｌ１０３と、実施例１と共通の符号を付して、その説明を簡略化する。【０１５９】
モードドア３０（第２ドア）とケース部材２ａとの間には、実施例１と同様の間隔Ｌ７が存在し、ミックスドアモードドア２０（第２ドア）とケース部材２ｂとの間には、実施例１と同様の間隔Ｌ４が存在する。ミックスドア２０とモードドア３０との間には、実施例１と同様の間隔Ｌ１０２、間隔Ｌ１０３の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ７は、間隔Ｌ１０２、間隔Ｌ１０３、間隔Ｌ１０５、間隔Ｌ１０６のいずれよりも小さく設定されている。【０１６０】
このことから、間隔Ｌ６と間隔Ｌ７とが等しく、間隔Ｌ６、Ｌ７は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。そして、間隔Ｌ１０と間隔Ｌ４とが等しく、間隔Ｌ１０、Ｌ４は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。【０１６１】
このような寸法関係にあるので、ミックスドア２０とモードドア３０との一方又は双方がケース部材２ｂに当接するように移動（図１９において、右側に移動）する場合に、実施例２の第１例、第２例と同様に、間隔Ｌ１０が間隔Ｌ１０２、間隔Ｌ１０３、間隔Ｌ１０５、間隔Ｌ１０６のいずれよりも小さいことから、ミックスドア２０とモードドア３０とは回転軸線に沿った方向において、当接することがない。【０１６２】
すなわち、モードドア３０のみがケース部材２ｂに当接するように移動（図１９において、右側に移動）する場合、間隔Ｌ６のみが縮まり、間隔Ｌ１０２、間隔Ｌ１０３、間隔Ｌ１０５、間隔Ｌ１０６のいずれも縮まることがない。このため、モードドア３０が、図１９の右側に移動しても、間隔Ｌ１０２、間隔Ｌ１０３、間隔Ｌ１０５、間隔Ｌ１０６がゼロとなることがない。ミックスドア２０のみがケース部材２ｂに当接するように移動する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ１０（ミックスドア２０の回転軸方向への移動範囲）が小さいので、間隔Ｌ１０２、間隔Ｌ１０３、間隔Ｌ１０５、間隔Ｌ１０６がゼロとなることがない。ミックスドア２０とモードドア３０とがケース部材２ｂに対しそれぞれが当接するように移動する場合、間隔Ｌ６よりも間隔Ｌ１０が小さくても、モードドア３０の移動量がミックスドア２０に影響しない。このため、ミックスドア２０とモードドア３０とがケース部材２ｂに対しそれぞれが当接するように移動する場合、ミックスドア２０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５よりも間隔Ｌ１０が小さいので、間隔Ｌ１０２、間隔Ｌ１０３、間隔Ｌ１０５、間隔Ｌ１０６がゼロとなることがない。【０１６３】
また、ミックスドア２０とモードドア３０との一方又は双方がケース部材２ａに当接するように移動（図２０において、左側に移動）する場合に、間隔Ｌ７が間隔Ｌ１０２、間隔Ｌ１０３、間隔Ｌ１０５、間隔Ｌ１０６よりも小さいことから、ミックスドア２０とモードドア３０とは回転軸線に沿った方向において、当接することがない。【０１６４】
すなわち、モードドア３０のみがケース部材２ａに当接するように移動（図２０において、左側に移動）する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ７（モードドア３０の回転軸方向への移動範囲）が小さいので、間隔Ｌ１０２、間隔Ｌ１０３、間隔Ｌ１０５、間隔Ｌ１０６がゼロとなることがない。ミックスドア２０のみがケース部材２ａに当接するように移動する場合、間隔Ｌ４のみが縮まり、間隔Ｌ１０２、間隔Ｌ１０３、間隔Ｌ１０５、間隔Ｌ１０６のいずれも縮まることがない。このため、ミックスドア２０が、図２０の左側に移動しても、間隔Ｌ１０２、間隔Ｌ１０３、間隔Ｌ１０５、間隔Ｌ１０６がゼロとなることがない。ミックスドア２０とモードドア３０とがケース部材２ａに対しそれぞれが当接するように移動する場合、間隔Ｌ７よりも間隔Ｌ４が小さくても、ミックスドア２０の移動量がモードドア３０に影響しない。このため、ミックスドア２０とモードドア３０とがケース部材２ａに対しそれぞれが当接するように移動する場合、モードドア３０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５、Ｌ１０６よりも間隔Ｌ７が小さいので、間隔Ｌ１０２、間隔Ｌ１０３、間隔Ｌ１０５、間隔Ｌ１０６がゼロとなることがない。【０１６５】
しかるに、実施例２の第３例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０１６６】
（第４例）
そして、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第４例を、図２２及び図２３を用いて説明する。【０１６７】
規制機構５０ａは、図２２及び図２３に示されるように、本実施例の第１例から第３例と同様に、第１ドア２０とケース部材２ａ（第１の壁）とで構成されるもので、側壁部２２ａの外面がケース部材２ａの内面に当接可能とされている。また、規制機構５０ｂは、図２２及び図２３に示されるように、本実施例の第１例から第３例と同様に、第１ドア２０とケース部材２ｂ（第２の壁）とで構成されるもので、側壁部２２ｂの外面からケース部材２ｂに向かって延びたドア延出部５１が当接可能とされている。ドア延出部５１は、図示しないが、第１例の図１５や第２例の図１８と同様に、第１の被支持部の他方２１ｂを中心点とした円周方向に沿って延びる円弧形状となっている。【０１６８】
規制機構６０ａは、図２２及び図２３に示されるように、第２ドア３０とケース部材２ａ（第１の壁）とで構成されるもので、ケース部材２ａのうちモードドア３０の側壁部３２ａの外面と対峙し且つミックスドア２０の第１の被支持部２１ａよりも上方側となる部位をケース部材２ａの他の部位よりもケース部材２ｂ側に折り曲げることで形成された平板状の段差面６６を有する。そして、この段差面６６が側壁部３２ａの外面に当接可能となっている。また、規制機構６０ｂは、図２２及び図２３に示されるように、第２ドア３０とケース部材２ｂ（第２の壁）とで構成されるもので、ケース部材２ｂの内面のうちモードドア３０の側壁部３２ｂの外面と対峙し且つミックスドア２０の第１の被支持部２１ｂの周壁部２８ｂよりも上方側となる部位をケース部材２ｂの他の部位よりもケース部材２ａ側に折り曲げることで形成された平板状の段差面６７を有する。そして、この段差面６７が側壁部３２ｂの外面に当接可能となっている。【０１６９】
次に、図２２を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１と同様の間隔は、間隔Ｌ８、間隔Ｌ１０２、間隔Ｌ１０３と、実施例１と共通の符号を付して、その説明を簡略化する。【０１７０】
モードドア３０（第２ドア）とケース部材２ｂとの間には、実施例１と同様の間隔Ｌ８が存在する。ミックスドア２０（第１ドア）のドア延出部５１とケース部材２ｂの内面との間には間隔Ｌ１０が存在する。間隔Ｌ１０は、ミックスドア２０の回転軸方向への移動範囲となっている。ミックスドア２０とモードドア３０との間には、実施例１と同様の間隔Ｌ１０２、間隔Ｌ１０３の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ１０は、間隔Ｌ１０２、間隔Ｌ１０３、間隔Ｌ１０５、間隔Ｌ１０６のいずれよりも小さく設定されている。【０１７１】
また、図２３を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１と同様の間隔は、間隔Ｌ９、間隔Ｌ４、間隔Ｌ１０２、間隔Ｌ１０３と、実施例１と共通の符号を付して、その説明を簡略化する。【０１７２】
モードドア３０（第２ドア）とケース部材２ａとの間には、実施例１と同様の間隔Ｌ９が存在し、ミックスドアモードドア２０（第２ドア）とケース部材２ｂとの間には、実施例１と同様の間隔Ｌ４が存在する。ミックスドア２０とモードドア３０との間には、実施例１と同様の間隔Ｌ１０２、間隔Ｌ１０２の他、ミックスドア２０の側壁部２２ｂの外面とモードドア３０の第２の被支持部の他方３１ｂとの間隔Ｌ１０５と、ミックスドア２０の第１の被支持部の他方３１ｂとモードドア３０の第２の被支持部３１ｂとの間隔Ｌ１０６とが存在する。そして、間隔Ｌ９は、間隔Ｌ１０２、間隔Ｌ１０３、間隔Ｌ１０５、間隔Ｌ１０６のいずれよりも小さく設定されている。【０１７３】
このことから、間隔Ｌ８と間隔Ｌ９とが等しく、間隔Ｌ８、Ｌ９は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。そして、間隔Ｌ１０と間隔Ｌ４とが等しく、間隔Ｌ１０、Ｌ４は間隔Ｌ１０２、Ｌ１０３、Ｌ１０５、Ｌ１０６より小さい（間隔Ｌ１０２、Ｌ１０３、Ｌ１０５、Ｌ１０６間の大小は不問。）寸法関係にある。【０１７４】
このような寸法関係にあるので、ミックスドア２０とモードドア３０との一方又は双方がケース部材２ｂに当接するように移動（図２２において、右側に移動）する場合に、実施例２の第１例から第３例と同様に、間隔Ｌ１０が間隔Ｌ１０２、間隔Ｌ１０３、間隔Ｌ１０５、間隔Ｌ１０６よりも小さいことから、ミックスドア２０とモードドア３０とは回転軸線に沿った方向において、当接することがない。【０１７５】
すなわち、モードドア３０のみがケース部材２ｂに当接するように移動（図２２において、右側に移動）する場合、間隔Ｌ８のみが縮まり、間隔Ｌ１０２、間隔Ｌ１０３、間隔Ｌ１０５、間隔Ｌ１０６のいずれも縮まることがない。このため、モードドア３０が、図２２の右側に移動しても、間隔Ｌ１０２、間隔Ｌ１０３、間隔Ｌ１０５、間隔Ｌ１０６がゼロとなることがない。ミックスドア２０のみがケース部材２ｂに当接するように移動する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ１０（ミックスドア２０の回転軸方向への移動範囲）が小さいので、間隔Ｌ１０２、間隔Ｌ１０３、間隔Ｌ１０５、間隔Ｌ１０６がゼロとなることがない。ミックスドア２０とモードドア３０とがケース部材２ｂに対しそれぞれが当接するように移動する場合、間隔Ｌ８よりも間隔Ｌ１０が小さくても、モードドア３０の移動量がミックスドア２０に影響しない。このため、ミックスドア２０とモードドア３０とがケース部材２ｂに対しそれぞれが当接するように移動する場合、ミックスドア２０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５よりも間隔Ｌ１０が小さいので、間隔Ｌ１０２、間隔Ｌ１０３、間隔Ｌ１０５、間隔Ｌ１０６がゼロとなることがない。【０１７６】
また、ミックスドア２０とモードドア３０との一方又は双方がケース部材２ａに当接するように移動（図２３において、左側に移動）する場合に、間隔Ｌ９が間隔Ｌ１０２、間隔Ｌ１０３、間隔Ｌ１０５、間隔Ｌ１０６よりも小さいことから、ミックスドア２０とモードドア３０とは回転軸線に沿った方向において、当接することがない。【０１７７】
すなわち、モードドア３０のみがケース部材２ａに当接するように移動（図２３において、左側に移動）する場合、間隔Ｌ１０２、間隔Ｌ１０３、間隔Ｌ１０５、間隔Ｌ１０６のいずれもが縮まる。ここで、間隔Ｌ１０２、間隔Ｌ１０３、間隔Ｌ１０５、間隔Ｌ１０６よりも間隔Ｌ９（モードドア３０の回転軸方向への移動範囲）が小さいので、間隔Ｌ１０２、間隔Ｌ１０３、間隔Ｌ１０５、間隔Ｌ１０６がゼロとなることがない。ミックスドア２０のみがケース部材２ａに当接するように移動する場合、間隔Ｌ４のみが縮まり、間隔Ｌ１０２、間隔Ｌ１０３、間隔Ｌ１０５、間隔Ｌ１０６のいずれも縮まることがない。このため、ミックスドア２０が、図２３の左側に移動しても、間隔Ｌ１０２、間隔Ｌ１０３、間隔Ｌ１０５、間隔Ｌ１０６がゼロとなることがない。ミックスドア２０とモードドア３０とがケース部材２ａに対しそれぞれが当接するように移動する場合、間隔Ｌ９よりも間隔Ｌ４が小さくても、ミックスドア２０の移動量がモードドア３０に影響しない。このため、ミックスドア２０とモードドア３０とがケース部材２ａに対しそれぞれが当接するように移動する場合、モードドア３０のみが移動するのと同様に、間隔Ｌ１０２、間隔Ｌ１０３、間隔Ｌ１０５、Ｌ１０６のいずれもが縮むが、間隔Ｌ１０２、間隔Ｌ１０３、間隔Ｌ１０５、Ｌ１０６よりも間隔Ｌ９が小さいので、間隔Ｌ１０２、間隔Ｌ１０３、間隔Ｌ１０５、間隔Ｌ１０６がゼロとなることがない。【０１７８】
しかるに、実施例２の第４例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。
【実施例３】
【０１７９】
図２４から図３３において、ドアの保持構造の実施例３が示されている。【０１８０】
ミックスドア２０の第１の被支持部２１ａ（第１の被支持部の一方）は、図２６及び図２９に示されるように、側壁部２２ａから回転軸線上を空調ケース２の外側に向けて円筒状に延出することにより形成されている。そして、第１の被支持部の一方２１ａは、空調ケース２の対向するケース部材２ａ（第１の壁）、２ｂ（第２の壁）のうちのケース部材２ａに形成された軸受孔４１に回転自在に支持されていると共に筒孔２５を有したものとなっている。また、ミックスドア２０の第１の被支持部２１ｂ（第１の被支持部の他方）は、図２６及び図２９に示されるように、側壁部２２ｂから回転軸線上を空調ケース２の外側に向けて円筒状に延出することにより形成されている。そして、第１の被支持部の他方２１ｂは、空調ケース２の対向するケース部材２ａ、２ｂのうちのケース部材２ｂに形成された軸受孔４２に回転自在に支持されていると共に筒孔２６を有したものとなっている。【０１８１】
そして、筒孔２５、２６は、軸線方向から見て円形状をなし、その内径寸法は、下記するモードドア３０の最大横幅寸法より大きくなっていると共に、被支持部２１ａ、２１ｂは、当該被支持部２１ａ、２１ｂの軸線に沿った方向に延びると共に筒孔２５、２６と連通したスリット部２９、３０を有している。スリット部２９の被支持部２１ａ、２１ｂの円周方向に沿った方向（軸線に沿った方向と交差する方向）の幅は、下記するモードドア３０の第２の被支持部３１ａ、３１ｂの縮幅部３６、３７の最短幅寸法より僅かに大きくなっている。これに伴い、被支持部２１ａ、２１ｂのスリット部２９から第２の被支持部３１ａ、３１ｂの縮幅部３６、３７を筒孔２５、２６内に挿入した後、第２の被支持部３１ａ、３１ｂの縮幅部３６、３７を筒孔２５、２６内で回転させることが可能になっている。【０１８２】
モードドア３０の第２の被支持部３１ａ（第２の被支持部の一方）は、図２６及び図２９に示されるように、側壁部３２ａから回転軸線上を空調ケース２の外側に向けて延出することで形成されている。そして、第２の被支持部の一方３１ａは、少なくとも側壁部３２ａから所要範囲においては薄肉の板状の縮幅部３６となっている。また、モードドア３０の第２の被支持部３１ｂ（第２の被支持部の他方）は、図２６及び図２９に示されるように、側壁部３２ｂから回転軸線上を空調ケース２の外側に向けて延出することで形成されている。そして、第２の被支持部の他方３１ｂは、少なくとも側壁部３２ｂから所要範囲においては薄肉の板状の縮幅部３７となっている。更に、縮幅部３６、３７は、この実施例３では相対的に幅の広い側面が傾斜した状態で側壁部３２ａ又は３２ｂから延出している。【０１８３】
このような構成のミックスドア２０とモードドア３０とを組み付けるには、図２６（ａ）、図２９（ａ）に示されるように、第１の被支持部２１ａ、２１ｂと第２の被支持部３１ａ、３１ｂとを近接した状態でミックスドア２０とモードドア３０とを対向させ、その状態から、モードドア３０を傾けて、第２の被支持部３１ａ、３１ｂの縮幅部３６、３７の最短幅の部位を第１の被支持部２１ａ、２１ｂのスリット部２９に合せて、第２の被支持部３１ａ、３１ｂの縮幅部３６、３７をスリット部２９から第１の被支持部２１ａ、２１ｂの筒孔２５、２６内に挿入した後、縮幅部３６、３７を筒孔２５、２６内で回転させることで、図２６（ｂ）、図２９（ｂ）に示されるように、ミックスドア２０とモードドア３０とを仮組み付けする。【０１８４】
その後、図示しないが、これまでの実施例１、２と同様に、左右に分割された状態のケース部材２ａ、２ｂに、ミックスドア２０、モードドア３０を回転軸線方向から近づけて、第１の被支持部の一方２１ａをケース部材２ａの軸受孔４１に挿入し、第２の被支持部の他方３１ｂをケース部材２ｂの軸受孔４２に挿入し、ケース部材２ａ、２ｂを組み合わせて空調ケース２を構成する。【０１８５】
（第１例）
次に、ドア２０、３０の被支持部２１、３１の回転軸線に沿う方向への移動を規制するための、ミックスドア２０又はモードドア３０とケース部材２ａ又はケース部材２ｂとで適宜構成された規制機構５０ａ、５０ｂ及び６０ａ、６０ｂの第１例を、図２４から図２６に基づいて説明する。【０１８６】
規制機構５０ａは、図２４から図２６に示されるように、第１ドア２０とケース部材２ａ（第１の壁）とで構成されるもので、第１の被支持部の一方２１ａのケース部材２ａよりも外側に突出した端側部位から当該第１の被支持部の一方の径方向外側（この実施例では径方向下側）に延びた一方側ドア延出部５２を有している。そして、この一方側ドア延出部５２が当該ケース部材２ａの外面に当接可能となっている。また、規制機構５０ｂは、図２４から図２６に示されるように、第１ドア２０とケース部材２ｂ（第２の壁）とで構成されるもので、第１の被支持部の他方２１ｂのケース部材２ｂよりも外側に突出した部位から当該第１の被支持部の他方２１ｂの径方向外側（この実施例では径方向下側）に延びた他方側ドア延出部５３を有している。そして、この他方側ドア延出部５３が当該ケース部材２ｂの外面に当接可能となっている。【０１８７】
規制機構６０ａは、第２ドア３０とケース部材２ａ（第１の壁）とで構成されるもので、第２の被支持部の一方３１ａの端側部位のうちケース部材２ａよりも外側で第１の被支持部の一方２１ａよりも更に外側に突出した部位から当該第２の被支持部の一方３１ａの径方向外側（この実施例では径方向上側）に延びた部位（延出部位６８ａ）と、この延出部位６８ａからケース部材２ａの側に延びた延出部位６８ｂとから成るフック状の一方側ドア延出部６８を有している。そして、この一方側ドア延出部６８がケース部材２ａの外面に当接可能となっている。また、規制機構６０ｂは、第２ドア３０とケース部材２ｂ（第２の壁）とで構成されるもので、第２の被支持部の他方３１ｂの端側部位のうちケース部材２ｂよりも外側で第１の被支持部の他方２１ｂよりも更に外側に突出した部位から当該第２の被支持部の他方３１ｂの径方向外側（この実施例では径方向上側）に延びた部位（延出部位６９ａ）と、この延出部位６９ａからケース部材２ｂの側に延びた延出部位６９ｂとから成るフック状の他方側ドア延出部６９を有している。そして、この他方側ドア延出部６９がケース部材２ｂの外面に当接可能となっている。【０１８８】
次に、図２４を用いて、ミックスドア２０（第１ドア）と、モードドア３０（第２ドア）と、ケース部材２ｂ（第１の壁）と、ケース部材２ｂ（第２の壁）との間の、ミックスドア２０とモードドア３０とがケース部材２ｂに当接した状態における、寸法関係について以下に説明する。但し、実施例１及び実施例２と同様の間隔は、間隔Ｌ１０２と、実施例１及び実施例２と共通の符号を付し、実施例２と同様の間隔は、間隔Ｌ１０５と、実施例２と共通の符号を付して、その説明を簡略化する。【０１８９】
モードドア３０（第２ドア）の他方側ドア延出部６９とケース部材２ｂの外面との間には間隔Ｌ１１が存在する。間隔Ｌ１１は、モードドア３０の回転軸方向への移動範囲となっている。ミックスドア２０（第１ドア）の他方側ドア延出部５３とケース部材２ｂの外面との間には間隔Ｌ１２が存在する。間隔Ｌ１２は、ミックスドア２０の回転軸方向への移動範囲となっている。ミックスドア２０とモードドア３０との間には、実施例１、２と同様の間隔Ｌ１０２、実施例２と同様の間隔Ｌ１０５の他、ミックスドア２０の第１の被支持部の他方３１ｂとモードドア３０の他方側ドア延出部６９との間隔Ｌ１０７と、ミックスドア２０の第１の被支持部の一方３１ａとモードドア３０の一方側ドア延出部６９との間隔Ｌ１０８とが存在する。そして、間隔Ｌ１１は、間隔Ｌ１０２、間隔Ｌ１１０５、間隔Ｌ１１０７、間隔Ｌ１０８のいずれよりも小さく設定されている。また、間隔Ｌ１２は、間隔Ｌ１０２、間隔Ｌ１０５、間隔Ｌ１０７、間隔Ｌ１０８のいずれよりも小さく設定されている。【０１９０】
次に、図２５を用いて、ミックスドア２０（第１ドア）と、モードドア３０（第２ドア）と、ケース部材２ｂ（第１の壁）と、ケース部材２ｂ（第２の壁）との間の、ミックスドア２０とモードドア３０とがケース部材２ａに当接した状態における、寸法関係について以下に説明する。但し、実施例１及び実施例２と同様の間隔は、間隔Ｌ１０２と、実施例１及び実施例２と共通の符号を付し、実施例２と同様の間隔は、間隔Ｌ１０５と、実施例２と共通の符号を付して、その説明を簡略化する。【０１９１】
モードドア３０（第２ドア）の一方側ドア延出部６８とケース部材２ａの外面との間には間隔Ｌ１３が存在する。間隔Ｌ１３は、モードドア３０の回転軸方向への移動範囲となっており、間隔Ｌ１１と等しい。ミックスドア２０（第１ドア）の一方側ドア延出部５２とケース部材２ａの外面との間には間隔Ｌ１４が存在する。間隔Ｌ１４は、ミックスドア２０の回転軸方向への移動範囲となっており、間隔Ｌ１２と等しい。ミックスドア２０とモードドア３０との間には、実施例１、２と同様の間隔Ｌ１０２、実施例２と同様の間隔Ｌ１０５の他、ミックスドア２０の第１の被支持部の他方３１ｂとモードドア３０の他方側ドア延出部６９との間隔Ｌ１０７と、ミックスドア２０の第１の被支持部の一方３１ａとモードドア３０の一方側ドア延出部６９との間隔Ｌ１０８とが存在する。そして、間隔Ｌ１３は、間隔Ｌ１０２、間隔Ｌ１１０５、間隔Ｌ１１０７、間隔Ｌ１０８のいずれよりも小さく設定されている。また、間隔Ｌ１４は、間隔Ｌ１０２、間隔Ｌ１０５、間隔Ｌ１０７、間隔Ｌ１０８のいずれよりも小さく設定されている。【０１９２】
このことから、間隔Ｌ１１と間隔Ｌ１３とが等しく、間隔Ｌ１１、Ｌ１３は間隔Ｌ１０２、Ｌ１０３、Ｌ１０５、Ｌ１０７、Ｌ１０８より小さい（間隔Ｌ１０２、Ｌ１０３、Ｌ１０５、Ｌ１０７、Ｌ１０８間の大小は不問。）寸法関係にある。そして、間隔Ｌ１２と間隔Ｌ１４とが等しく、間隔Ｌ１２、Ｌ１４は間隔Ｌ１０２、Ｌ１０３、Ｌ１０５、Ｌ１０７、Ｌ１０８より小さい（間隔Ｌ１０２、Ｌ１０３、Ｌ１０５、Ｌ１０７、Ｌ１０８間の大小は不問。）寸法関係にある。【０１９３】
このような寸法関係にあるので、ミックスドア２０とモードドア３０との一方又は双方がケース部材２ｂに当接するように移動（図２４において、左側に移動）する場合に、間隔Ｌ１１が間隔Ｌ１０２、間隔Ｌ１０７よりも小さく、間隔Ｌ１２が間隔Ｌ１０５、間隔Ｌ１０８よりも小さいことから、ミックスドア２０とモードドア３０とは回転軸線に沿った方向において、当接することがない。【０１９４】
すなわち、モードドア３０のみがケース部材２ｂに当接するように移動（図２４において、左側に移動）する場合、間隔Ｌ１０２、間隔Ｌ１０７が縮み、間隔Ｌ１０５、間隔Ｌ１０８が広がる。ここで、間隔Ｌ１０２、間隔Ｌ１０７よりも間隔Ｌ１１（モードドア３０の回転軸方向への移動範囲）が小さいので、間隔Ｌ１０２、Ｌ１０７がゼロとなることがない。ミックスドア２０のみがケース部材２ｂに当接するように移動する場合、間隔Ｌ１０２、間隔Ｌ１０７が広がり、間隔Ｌ１０５、間隔Ｌ１０８が縮む。ここで、間隔Ｌ１０５、間隔Ｌ１０８よりも間隔Ｌ１２（ミックスドア２０の回転軸方向への移動範囲）が小さいので、間隔Ｌ１０５、間隔Ｌ１０８がゼロとなることがない。ミックスドア２０とモードドア３０とがケース部材２ｂに対しそれぞれが当接するように移動する場合、間隔Ｌ１２よりも間隔Ｌ１１が小さいので、ミックスドア２０よりもモードドア３０の移動量が少なく、間隔Ｌ１０２、間隔Ｌ１０７が広がり、間隔Ｌ１０５、間隔Ｌ１０８が縮む。ここで、間隔Ｌ１０５、間隔Ｌ１０８よりも間隔Ｌ１２が小さいので、間隔Ｌ１０５、間隔Ｌ１０８がゼロとなることがない。【０１９５】
また、ミックスドア２０とモードドア３０とがケース部材２ａに対しそれぞれが当接するように移動（図２５において、右側に移動）する場合に、間隔Ｌ１３が間隔Ｌ１０５、間隔Ｌ１０８よりも小さく、間隔Ｌ１４が間隔Ｌ１０２、間隔Ｌ１０７よりも小さいことから、ミックスドア２０とモードドア３０とは回転軸線に沿った方向において、当接することがない。【０１９６】
すなわち、モードドア３０のみがケース部材２ａに当接するように移動（図２５において、右側に移動）する場合、間隔Ｌ１０５、間隔Ｌ１０８が縮み、間隔Ｌ１０２、間隔Ｌ１０７が広がる。ここで、間隔Ｌ１０５、間隔Ｌ１０８よりも間隔Ｌ１３（モードドア３０の回転軸方向への移動範囲）が小さいので、間隔Ｌ１０５、Ｌ１０８がゼロとなることがない。ミックスドア２０のみがケース部材２ａに当接するように移動する場合、間隔Ｌ１０５、間隔Ｌ１０８が広がり、間隔Ｌ１０２、Ｌ１０７が縮む。ここで、間隔Ｌ１０２よりも間隔Ｌ１４（ミックスドア２０の回転軸方向への移動範囲）が小さいので、間隔Ｌ１０２、Ｌ１０７がゼロとなることがない。ミックスドア２０とモードドア３０とがケース部材２ａに対しそれぞれが当接するように移動する場合、間隔Ｌ１４よりも間隔Ｌ１３が小さいので、ミックスドア２０よりもモードドア３０の移動量が少なく、間隔Ｌ１０５、間隔Ｌ１０８が広がり、間隔Ｌ１０２、間隔Ｌ１０７が縮む。ここで、間隔Ｌ１０２、間隔Ｌ１０７よりも間隔Ｌ１４が小さいので、間隔Ｌ１０２、間隔Ｌ１０７がゼロとなることがない。【０１９７】
しかるに、実施例３の第１例によれば、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０１９８】
（第２例）
更に、ドア２０、３０の被支持部２１、３１の回転軸線に沿う方向への移動を規制するための、ミックスドア２０又はモードドア３０とケース部材２ａ又はケース部材２ｂとで適宜構成された規制機構５０ａ、５０ｂ及び６０ａ、６０ｂの第２例を、図２７から図２９を用いて説明する。【０１９９】
規制機構５０ａは、図２７、図２８に示されるように、第１ドア２０とケース部材２ａ（第１の壁）とで構成されるもので、側壁部２２ａの外面がケース部材２ａの内面に当接可能とされている。また、規制機構５０ｂは、図２７、図２８に示されるように、第１ドア２０とケース部材２ｂ（第２の壁）とで構成されるもので、側壁部２２ａの外面がケース部材２ｂの内面に当接可能とされている。【０２００】
規制機構６０ａは、図２７から図２９に示されるように、第２ドア３０とケース部材２ａ（第１の壁）とで構成されるもので、側壁部３２ａの外面からケース部材２ａに向かって延びた一方側ドア延出部６１がケース部材２ａの内面に当接可能とされている。一方側ドア延出部６１は、この実施例では、図２９に示されるように、第２の被支持部の一方３１ａを中心点とした円周方向に沿って延びる円弧形状となっている。また、規制機構６０ｂは、図２７から図２９に示されるように、第２ドア３０とケース部材２ｂ（第２の壁）とで構成されるもので、側壁部３２ｂの外面からケース部材２ｂに向かって延びた他方側ドア延出部６３がケース部材２ｂの内面に当接可能とされている。他方側ドア延出部６３は、この実施例では、図２９に示されるように、第２の被支持部の他方３１ｂを中心点とした円周方向に沿って延びる円弧形状となっている。【０２０１】
次に、図２７を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１及び実施例２と同様の間隔は、間隔Ｌ５、間隔Ｌ１０２と、実施例１及び実施例２と共通の符号を付し、実施例２と同様の間隔は、間隔Ｌ１０５と、実施例２と共通の符号を付して、その説明を簡略化する。【０２０２】
モードドア３０（第２ドア）とケース部材２ｂとの間には、実施例１、実施例２と同様の間隔Ｌ５が存在する。また、ミックスドア２０（第１ドア）の側壁部２２ｂとケース部材２ｂの内面との間には間隔Ｌ１５が存在する。間隔Ｌ１５は、ミックスドア２０の回転軸方向への移動範囲となっている。ミックスドア２０とモードドア３０との間には、実施例１、２と同様の間隔Ｌ１０２、実施例２と同様の間隔Ｌ１０５が存在する。そして、間隔Ｌ５は、間隔Ｌ１０２、間隔Ｌ１０５のいずれよりも小さく設定され、間隔Ｌ１５は、間隔Ｌ１０２、間隔Ｌ１０５のいずれよりも小さく設定されている。【０２０３】
また、図２８を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１及び実施例２と同様の間隔は、間隔Ｌ３、間隔Ｌ１０２と、実施例１及び実施例２と共通の符号を付し、実施例２と同様の間隔は、間隔Ｌ１０５と、実施例２と共通の符号を付して、その説明を簡略化する。【０２０４】
モードドア３０（第２ドア）とケース部材２ａとの間には、実施例１、実施例２と同様の間隔Ｌ３が存在する。また、ミックスドア２０（第１ドア）とケース部材２ａとの間には、実施例１、実施例２と同様の間隔Ｌ４が存在する。ミックスドア２０とモードドア３０との間には、実施例１、２と同様の間隔Ｌ１０２、実施例２と同様の間隔Ｌ１０５が存在する。そして、間隔Ｌ３は、間隔Ｌ１０２、間隔Ｌ１０５のいずれよりも小さく設定され、間隔Ｌ４は、間隔Ｌ１０２、間隔Ｌ１０５のいずれよりも小さく設定されている。【０２０５】
このことから、間隔Ｌ５と間隔Ｌ３とが等しく、間隔Ｌ５、Ｌ３は間隔Ｌ１０２、Ｌ１０５より小さい（間隔Ｌ１０２、Ｌ１０５間の大小は不問。）寸法関係にある。そして、間隔Ｌ１５と間隔Ｌ４とが等しく、間隔Ｌ１５、Ｌ４は間隔Ｌ１０２、Ｌ１０５より小さい（間隔Ｌ１０２、Ｌ１０５間の大小は不問。）寸法関係にある。【０２０６】
このような寸法関係にあるので、ミックスドア２０とモードドア３０との一方又は双方がケース部材２ｂに当接するように移動（図２７において、右側に移動）する場合に、間隔Ｌ５が間隔Ｌ１０５よりも小さく、間隔Ｌ１５が間隔Ｌ１０２よりも小さいことから、ミックスドア２０とモードドア３０とは回転軸線に沿った方向において、当接することがない。【０２０７】
すなわち、モードドア３０のみがケース部材２ｂに当接するように移動（図２７において、右側に移動）する場合、間隔Ｌ１０５が縮み、間隔Ｌ１０２が広がる。ここで、間隔Ｌ１０５よりも間隔Ｌ５（モードドア３０の回転軸方向への移動範囲）が小さいので、間隔Ｌ１０５がゼロとなることがない。ミックスドア２０のみがケース部材２ｂに当接するように移動する場合、間隔Ｌ１０５が広がり、間隔Ｌ１０２が縮む。ここで、間隔Ｌ１０２よりも間隔Ｌ１５（ミックスドア２０の回転軸方向への移動範囲）が小さいので、間隔Ｌ１０２がゼロとなることがない。ミックスドア２０とモードドア３０とがケース部材２ｂに対しそれぞれが当接するように移動する場合、間隔Ｌ１５よりも間隔Ｌ５が小さいので、ミックスドア２０よりもモードドア３０の移動量が少なく、間隔Ｌ１０５が広がり、間隔Ｌ１０２が縮む。ここで、間隔Ｌ１０２よりも間隔Ｌ１５が小さいので、間隔Ｌ１０２がゼロとなることがない。【０２０８】
また、ミックスドア２０とモードドア３０との一方又は双方がケース部材２ａに当接するように移動（図２８において、左側に移動）する場合に、間隔Ｌ３が間隔Ｌ１０２よりも小さく、間隔Ｌ４が間隔Ｌ１０５よりも小さいことから、ミックスドア２０とモードドア３０とは回転軸線に沿った方向において、当接することがない。【０２０９】
すなわち、モードドア３０のみがケース部材２ａに当接するように移動（図２８において、左側に移動）する場合、間隔Ｌ１０２が縮み、間隔Ｌ１０５が広がる。ここで、間隔Ｌ１０２よりも間隔Ｌ３（モードドア３０の回転軸方向への移動範囲）が小さいので、間隔Ｌ１０２がゼロとなることがない。ミックスドア２０のみがケース部材２ａに当接するように移動する場合、間隔Ｌ１０２が広がり、間隔Ｌ１０５が縮む。ここで、間隔Ｌ１０５よりも間隔Ｌ４（ミックスドア２０の回転軸方向への移動範囲）が小さいので、間隔Ｌ１０５がゼロとなることがない。ミックスドア２０とモードドア３０とがケース部材２ａに対しそれぞれが当接するように移動する場合、間隔Ｌ４よりも間隔Ｌ３が小さいので、ミックスドア２０よりもモードドア３０の移動量が少なく、間隔Ｌ１０２が広がり、間隔Ｌ１０５が縮む。ここで、間隔Ｌ１０５よりも間隔Ｌ４が小さいので、間隔Ｌ１０５がゼロとなることがない。【０２１０】
しかるに、実施例３の第２例によっても、モードドア３０の第２の被支持部３１ａ、３１ｂの回転軸線に沿った方向の移動に対する規制は、ミックスドア２０とモードドア３０との当接によらずに、ケース部材２ａ、２ｂとの当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０２１１】
（第３例）
更にまた、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第３例を、図３０及び図３１を用いて説明する。【０２１２】
規制機構５０ａは、図３０、図３１に示されるように、本実施例の第２例と同様に、第１ドア２０とケース部材２ａ（第１の壁）とで構成されるもので、側壁部２２ａの外面がケース部材２ａの内面に当接可能とされている。また、規制機構５０ｂは、図３０、図３１に示されるように、本実施例の第２例と同様に、第１ドア２０とケース部材２ｂ（第２の壁）とで構成されるもので、側壁部２２ａの外面がケース部材２ｂの内面に当接可能とされている。【０２１３】
規制機構６０ａは、図３０、図３１に示されるように、第２ドア３０とケース部材２ａ（第１の壁）とで構成されるもので、ケース部材２ａの内面から第２ドア３０に向かって延びた一方側壁延出部６４が第２ドア３０の側壁部３２ａの外面に当接可能とされている。一方側壁延出部６４は、特に図示しないが、図１０（ａ）に示される一方側壁延出部６４と同様に、軸受孔４１を中心点とした円周方向に沿って延びる円弧形状となっている。また、規制機構６０ｂは、図３０、図３１に示されるように、第２ドア３０とケース部材２ｂ（第２の壁）とで構成されるもので、ケース部材２ｂの内面から第２ドア３０に向かって延びた他方側壁延出部６５が第２ドア３０の側壁部３２ｂの外面に当接可能とされている。他方側壁延出部６５は、特に図示しないが、図１０（ｂ）に示される他方側壁延出部６５と同様に、軸受孔４２を中心点とした円周方向に沿って延びる円弧形状となっている。【０２１４】
次に、図３０を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１及び実施例２と同様の間隔は、間隔Ｌ６、間隔Ｌ１０２と、実施例１及び実施例２と共通の符号を付し、実施例２と同様の間隔は、間隔Ｌ１０５と、実施例２と共通の符号を付して、その説明を簡略化する。【０２１５】
モードドア３０（第２ドア）とケース部材２ｂとの間には、実施例１、実施例２と同様の間隔Ｌ６が存在する。また、ミックスドア２０の側壁部２２ｂとケース部材２ｂの内面との間には間隔Ｌ１５が存在する。間隔Ｌ１５は、ミックスドア２０の回転軸方向への移動範囲となっている。ミックスドア２０とモードドア３０との間には、実施例１、２と同様の間隔Ｌ１０２、実施例２と同様の間隔Ｌ１０５が存在する。そして、間隔Ｌ６は、間隔Ｌ１０２、間隔Ｌ１０５のいずれよりも小さく設定され、間隔Ｌ１５は、間隔Ｌ１０２、間隔Ｌ１０５のいずれよりも小さく設定されている。【０２１６】
また、図３１を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１及び実施例２と同様の間隔は、間隔Ｌ７、間隔Ｌ４、間隔Ｌ１０２と、実施例１及び実施例２と共通の符号を付し、実施例２と同様の間隔は、間隔Ｌ１０５と、実施例２と共通の符号を付して、その説明を簡略化する。【０２１７】
モードドア３０（第２ドア）とケース部材２ａとの間には、実施例１、実施例２と同様の間隔Ｌ７が存在する。また、ミックスドア２０（第１ドア）とケース部材２ａとの間には、実施例１、実施例２と同様の間隔Ｌ４が存在する。ミックスドア２０とモードドア３０との間には、実施例１、２と同様の間隔Ｌ１０２、実施例２と同様の間隔Ｌ１０５が存在する。そして、間隔Ｌ７は、間隔Ｌ１０２、間隔Ｌ１０５のいずれよりも小さく設定され、間隔Ｌ４は、間隔Ｌ１０２、間隔Ｌ１０５のいずれよりも小さく設定されている。【０２１８】
このことから、間隔Ｌ６と間隔Ｌ７とが等しく、間隔Ｌ６、Ｌ７は間隔Ｌ１０２、Ｌ１０５より小さい（間隔Ｌ１０２、Ｌ１０５間の大小は不問。）寸法関係にある。そして、間隔Ｌ１５と間隔Ｌ４とが等しく、間隔Ｌ１５、Ｌ４は間隔Ｌ１０２、Ｌ１０５より小さい（間隔Ｌ１０２、Ｌ１０５間の大小は不問。）寸法関係にある。【０２１９】
このような寸法関係にあるので、ミックスドア２０とモードドア３０との一方又は双方がケース部材２ｂに当接するように移動（図３０において、右側に移動）する場合に、間隔Ｌ６が間隔Ｌ１０５よりも小さく、間隔Ｌ１５が間隔Ｌ１０２よりも小さいことから、ミックスドア２０とモードドア３０とは回転軸線に沿った方向において、当接することがない。【０２２０】
すなわち、モードドア３０のみがケース部材２ｂに当接するように移動（図３０において、右側に移動）する場合、間隔Ｌ１０５が縮み、間隔Ｌ１０２が広がる。ここで、間隔Ｌ１０５よりも間隔Ｌ６（モードドア３０の回転軸方向への移動範囲）が小さいので、間隔Ｌ１０５がゼロとなることがない。ミックスドア２０のみがケース部材２ｂに当接するように移動する場合、間隔Ｌ１０５が広がり、間隔Ｌ１０２が縮む。ここで、間隔Ｌ１０２よりも間隔Ｌ１５（ミックスドア２０の回転軸方向への移動範囲）が小さいので、間隔Ｌ１０２がゼロとなることがない。ミックスドア２０とモードドア３０とがケース部材２ｂに対しそれぞれが当接するように移動する場合、間隔Ｌ１５よりも間隔Ｌ６が小さいので、ミックスドア２０よりもモードドア３０の移動量が少なく、間隔Ｌ１０５が広がり、間隔Ｌ１０２が縮む。ここで、間隔Ｌ１０２よりも間隔Ｌ１５が小さいので、間隔Ｌ１０２がゼロとなることがない。【０２２１】
また、ミックスドア２０とモードドア３０との一方又は双方がケース部材２ａに当接するように移動（図３１において、左側に移動）する場合に、間隔Ｌ７が間隔Ｌ１０２よりも小さく、間隔Ｌ４が間隔Ｌ１０５よりも小さいことから、ミックスドア２０とモードドア３０とは回転軸線に沿った方向において、当接することがない。【０２２２】
すなわち、モードドア３０のみがケース部材２ａに当接するように移動（図３１において、左側に移動）する場合、間隔Ｌ１０２が縮み、間隔Ｌ１０５が広がる。ここで、間隔Ｌ１０２よりも間隔Ｌ７（モードドア３０の回転軸方向への移動範囲）が小さいので、間隔Ｌ１０２がゼロとなることがない。ミックスドア２０のみがケース部材２ａに当接するように移動する場合、間隔Ｌ１０２が広がり、間隔Ｌ１０５が縮む。ここで、間隔Ｌ１０５よりも間隔Ｌ４（ミックスドア２０の回転軸方向への移動範囲）が小さいので、間隔Ｌ１０５がゼロとなることがない。ミックスドア２０とモードドア３０とがケース部材２ａに対しそれぞれが当接するように移動する場合、間隔Ｌ４よりも間隔Ｌ７が小さいので、ミックスドア２０よりもモードドア３０の移動量が少なく、間隔Ｌ１０２が広がり、間隔Ｌ１０５が縮む。ここで、間隔Ｌ１０５よりも間隔Ｌ４が小さいので、間隔Ｌ１０５がゼロとなることがない。【０２２３】
しかるに、実施例３の第３例によっても、モードドア３０の第２の被支持部３１ａ、３１ｂの回転軸線に沿った方向の移動に対する規制は、ミックスドア２０とモードドア３０との当接によらずに、ケース部材２ａ、２ｂの延出部６４、６５との当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０２２４】
（第４例）
そして、ドア２０、３０の被支持部２１、３１の回転軸線に沿った方向の移動を規制するための、ミックスドア２０又はモードドア３０とケース部材２ａ又はケース部材２ｂとで適宜構成された規制機構５０ａ、５０ｂ及び６０ａ、６０ｂの第４例を、図３２及び図３３を用いて説明する。【０２２５】
規制機構５０ａは、図３２、図３３に示されるように、本実施例の第２例及び第３例と同様に、第１ドア２０とケース部材２ａ（第１の壁）とで構成されるもので、側壁部２２ａの外面がケース部材２ａの内面に当接可能とされている。また、規制機構５０ｂは、図３２、図３３に示されるように、本実施例の第２例及び第３例と同様に、第１ドア２０とケース部材２ｂ（第２の壁）とで構成されるもので、側壁部２２ａの外面がケース部材２ｂの内面に当接可能とされている。【０２２６】
規制機構６０ａは、図３２、図３３に示されるように、第２ドア３０とケース部材２ａ（第１の壁）とで構成される。そして、規制機構６０ａは、ケース部材２ａのうちモードドア３０の側壁部３２ａの外面と対峙し且つミックスドア２０の第１の被支持部２１ａよりも上方側となる部位をケース部材２ａの他の部位よりもケース部材２ｂ側に折り曲げることで形成された平板状の段差面６６を有して、この段差面６６が側壁部３２ａの外面に当接可能とされている。また、規制機構６０ｂは、図３２、図３３に示されるように、第２ドア３０とケース部材２ｂ（第２の壁）とで構成される。そして、規制機構６０ｂは、ケース部材２ｂの内面のうちモードドア３０の側壁部３２ｂの外面と対峙し且つミックスドア２０の第１の被支持部２１ｂの周壁部２８ｂよりも上方側となる部位をケース部材２ｂの他の部位よりもケース部材２ａ側に折り曲げることで形成された平板状の段差面６７を有して、この段差面６７が側壁部３２ｂの外面に当接可能とされている。【０２２７】
次に、図３２を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ａに当接した状態における、寸法関係について以下に説明する。但し、実施例１及び実施例２と同様の間隔は、間隔Ｌ８、間隔Ｌ１０２と、実施例１及び実施例２と共通の符号を付し、実施例２と同様の間隔は、間隔Ｌ１０５と、実施例２と共通の符号を付して、その説明を簡略化する。【０２２８】
モードドア３０（第２ドア）とケース部材２ｂとの間には、実施例１、実施例２と同様の間隔Ｌ８が存在する。また、ミックスドア２０（第１ドア）の側壁部２２ｂとケース部材２ｂの内面との間には間隔Ｌ１５が存在する。間隔Ｌ１５は、ミックスドア２０の回転軸方向への移動範囲となっている。ミックスドア２０とモードドア３０との間には、実施例１、２と同様の間隔Ｌ１０２、実施例２と同様の間隔Ｌ１０５が存在する。そして、間隔Ｌ８は、間隔Ｌ１０２、間隔Ｌ１０５のいずれよりも小さく設定され、間隔Ｌ１５は、間隔Ｌ１０２、間隔Ｌ１０５のいずれよりも小さく設定されている。【０２２９】
また、図３３を用いて、ミックスドア２０（第１ドア）と、モードドア３０（第２ドア）と、ケース部材２ａ（第１の壁）と、ケース部材２ｂ（第２の壁）との間の、ミックスドア２０とモードドア３０とがケース部材２ｂに当接した状態における、寸法関係について以下に説明する。但し、実施例１及び実施例２と同様の間隔は、間隔Ｌ９、間隔Ｌ４、間隔Ｌ１０２と、実施例１及び実施例２と共通の符号を付し、実施例２と同様の間隔は、間隔Ｌ１０５と、実施例２と共通の符号を付して、その説明を簡略化する。【０２３０】
モードドア３０（第２ドア）とケース部材２ａとの間には、実施例１、実施例２と同様の間隔Ｌ９が存在する。また、ミックスドア２０（第１ドア）とケース部材２ａとの間には、実施例１、実施例２と同様の間隔Ｌ４が存在する。ミックスドア２０とモードドア３０との間には、実施例１、２と同様の間隔Ｌ１０２、実施例２と同様の間隔Ｌ１０５が存在する。そして、間隔Ｌ９は、間隔Ｌ１０２、間隔Ｌ１０５のいずれよりも小さく設定され、間隔Ｌ４は、間隔Ｌ１０２、間隔Ｌ１０５のいずれよりも小さく設定されている。【０２３１】
このことから、間隔Ｌ８と間隔Ｌ９とが等しく、間隔Ｌ８、Ｌ９は間隔Ｌ１０２、Ｌ１０５より小さい（間隔Ｌ１０２、Ｌ１０５間の大小は不問。）寸法関係にある。そして、間隔Ｌ１５と間隔Ｌ４とが等しく、間隔Ｌ１５、Ｌ４は間隔Ｌ１０２、Ｌ１０５より小さい（間隔Ｌ１０２、Ｌ１０５間の大小は不問。）寸法関係にある。【０２３２】
このような寸法関係にあるので、ミックスドア２０とモードドア３０との一方又は双方がケース部材２ｂに当接するように移動（図３２において、右側に移動）する場合に、間隔Ｌ８が間隔Ｌ１０５よりも小さく、間隔Ｌ１５が間隔Ｌ１０２よりも小さいことから、ミックスドア２０とモードドア３０とは回転軸線に沿った方向において、当接することがない。【０２３３】
すなわち、モードドア３０のみがケース部材２ｂに当接するように移動（図３２において、右側に移動）する場合、間隔Ｌ１０５が縮み、間隔Ｌ１０２が広がる。ここで、間隔Ｌ１０５よりも間隔Ｌ８（モードドア３０の回転軸方向への移動範囲）が小さいので、間隔Ｌ１０５がゼロとなることがない。ミックスドア２０のみがケース部材２ｂに当接するように移動する場合、間隔Ｌ１０５が広がり、間隔Ｌ１０２が縮む。ここで、間隔Ｌ１０２よりも間隔Ｌ１５（ミックスドア２０の回転軸方向への移動範囲）が小さいので、間隔Ｌ１０２がゼロとなることがない。ミックスドア２０とモードドア３０とがケース部材２ｂに対しそれぞれが当接するように移動する場合、間隔Ｌ１５よりも間隔Ｌ８が小さいので、ミックスドア２０よりもモードドア３０の移動量が少なく、間隔Ｌ１０５が広がり、間隔Ｌ１０２が縮む。ここで、間隔Ｌ１０２よりも間隔Ｌ１５が小さいので、間隔Ｌ１０２がゼロとなることがない。【０２３４】
また、ミックスドア２０とモードドア３０との一方又は双方がケース部材２ａに当接するように移動（図３３において、左側に移動）する場合に、間隔Ｌ９が間隔Ｌ１０２よりも小さく、間隔Ｌ４が間隔Ｌ１０５よりも小さいことから、ミックスドア２０とモードドア３０とは回転軸線に沿った方向において、当接することがない。【０２３５】
すなわち、モードドア３０のみがケース部材２ａに当接するように移動（図３３において、左側に移動）する場合、間隔Ｌ１０２が縮み、間隔Ｌ１０５が広がる。ここで、間隔Ｌ１０２よりも間隔Ｌ９（モードドア３０の回転軸方向への移動範囲）が小さいので、間隔Ｌ１０２がゼロとなることがない。ミックスドア２０のみがケース部材２ａに当接するように移動する場合、間隔Ｌ１０２が広がり、間隔Ｌ１０５が縮む。ここで、間隔Ｌ１０５よりも間隔Ｌ４（ミックスドア２０の回転軸方向への移動範囲）が小さいので、間隔Ｌ１０５がゼロとなることがない。ミックスドア２０とモードドア３０とがケース部材２ａに対しそれぞれが当接するように移動する場合、間隔Ｌ４よりも間隔Ｌ９が小さいので、ミックスドア２０よりもモードドア３０の移動量が少なく、間隔Ｌ１０２が広がり、間隔Ｌ１０５が縮む。ここで、間隔Ｌ１０５よりも間隔Ｌ４が小さいので、間隔Ｌ１０５がゼロとなることがない。【０２３６】
しかるに、実施例３の第４例によっても、モードドア３０の第２の被支持部３１ａ、３１ｂの回転軸線に沿った方向の移動に対する規制は、ミックスドア２０とモードドア３０との当接によらずに、ケース部材２ａ、２ｂの段差面６６、６７との当接のみによって行われるので、モードドア３０の移動範囲を小さくすることができる。また、ミックスドア２０とモードドア３０とが当接することがなくなるので、２つのドア２０、３０とも相手方のドアの回転の影響を受けることもなくなる。【０２３７】
ミックスドア２０の構成について、図４等において、同じ回転軸線上に配置される一対の第１の被支持部２１ａ、２１ｂと、各被支持部２１ａ、２１ｂに対して略垂直に延設される一対の側壁部２２ａ、２２ｂと、この一対の側壁部２２ａ、２２ｂの間を繋ぐ閉塞部２３とを有して構成されるロータリ式ドアとして図示して説明してきたが必ずしもこれに限定されない。図示しないが、支持部２１ａ、２１ｂと同様の構成の被支持部と、この被支持部の軸線に対して略平行に延設された板状部を備える板ドアであっても良い。そして、このような板ドアたるミックスドア２０であっても、図示しないが、ケース部材２ａ又は２ｂとで規制機構５０ａ、５０ｂが構成される。【０２３８】
また、モードドア３０においても同様であり、図４等において、同じ回転軸線上に配置される一対の第１の被支持部３１ａ、３１ｂと、各第１の被支持部３１ａ、３１ｂに対して略垂直に延設される一対の側壁部３２ａ、３２ｂと、この一対の側壁部３２ａ、３２ｂの間を繋ぐ閉塞部３３とを有して構成されるロータリ式ドアとして図示して説明してきたが必ずしもこれに限定されない。図示しないが、第１の支持部３１ａ、３１ｂと同様の構成の被支持部と、この被支持部の軸線に対して略平行に延設された板状部を備える板ドアであっても良い。そして、このような板ドアたるモードドア３０であっても、図示しないが、その被支持部やケース部材２ａ、２ｂと対峙する面に一方側ドア延出部６１や他方側ドア延出部６２や一方側ドア延出部６３や他方側ドア延出部６４を適宜設けたり、ケース部材２ａ、２ｂに一方側壁延出部６４や他方側壁延出部６５を設けたり、ケース部材２ａ、２ｂに段差面６６、６７を設けたりすることで、図示しないが、ケース部材２ａ又は２ｂとで規制機構６０ａ、６０ｂを構成することができる。
【符号の説明】
【０２３９】
１  空調ユニット
２  空調ケース
２ａ  ケース部材（第１の壁）
２ｂ  ケース部材（第２の壁）
３  空気導入空間
４  導入口
５  第１吹出通路
６  第２吹出通路
７  エバポレータ
８  ヒータコア
９  仕切壁
１０  バイパス通路
１１  温風通路
１２  ミックス空間
１３  デフロスト吹出開口
１４  ベント吹出開口
１５  フット吹出開口
２０  ミックスドア（第１ドア）
２１ａ  第１の被支持部の一方
２１ｂ  第１の被支持部の他方
２２ａ  側壁部
２２ｂ  側壁部
２３  閉塞部
２５  筒孔
２６  筒孔
３０  モードドア（第２ドア）
３１ａ  第２の被支持部の一方
３１ｂ  第２の被支持部の他方
３２ａ  側壁部
３２ｂ  側壁部
３３  閉塞部
３５  筒孔
４１  軸受孔
４２  軸受孔
５０ａ  ミックスドアの規制機構
５０ｂ  ミックスドアの規制機構
５１  ミックスドアのドア延出部
５２  ミックスドアの一方側ドア延出部
５３  ミックスドアの他方側ドア延出部
６０ａ  モードドアの規制機構（第１の規制機構）
６０ｂ  モードドアの規制機構（第２の規制機構）
６１  モードドアの一方側ドア延出部
６２  モードドアの他方側ドア延出部
６３  モードドアの他方側ドア延出部
６４  ケース部材の一方側壁延出部
６５  ケース部材の他方側壁延出部
６６  ケース部材の段差面
６７  ケース部材の段差面
６８  モードドアの一方側ドア延出部
６９  モードドアの他方側ドア延出部
【図１】
2014203772.tif 000003
【図２】
2014203772.tif 000004
【図３】
2014203772.tif 000005
【図４】
2014203772.tif 000006
【図５】
2014203772.tif 000007
【図６】
2014203772.tif 000008
【図７】
2014203772.tif 000009
【図８】
2014203772.tif 000010
【図９】
2014203772.tif 000011
【図１０】
2014203772.tif 000012
【図１１】
2014203772.tif 000013
【図１２】
2014203772.tif 000014
【図１３】
2014203772.tif 000015
【図１４】
2014203772.tif 000016
【図１５】
2014203772.tif 000017
【図１６】
2014203772.tif 000018
【図１７】
2014203772.tif 000019
【図１８】
2014203772.tif 000020
【図１９】
2014203772.tif 000021
【図２０】
2014203772.tif 000022
【図２１】
2014203772.tif 000023
【図２２】
2014203772.tif 000024
【図２３】
2014203772.tif 000025
【図２４】
2014203772.tif 000026
【図２５】
2014203772.tif 000027
【図２６】
2014203772.tif 000028
【図２７】
2014203772.tif 000029
【図２８】
2014203772.tif 000030
【図２９】
2014203772.tif 000031
【図３０】
2014203772.tif 000032
【図３１】
2014203772.tif 000033
【図３２】
2014203772.tif 000034
【図３３】
2014203772.tif 000035
【国際調査報告】
2014203772.tif 000036
2014203772.tif 000037